(57)【要約】【課題】測定対象物の物理特性を検出する検出素子を接続可能な無線通信装置を用いて、測定対象物の物理特性を測定するのに好適な測定システムを提供する。【解決手段】無線タグ２０は、リーダ・ライタ装置１０からの初期化指示情報を受信すると、基準素子を発振用素子として発振する第２の発振回路２５ａの属性測定期間の発振回数をカウントし、次に、接続された検出素子１００を発振用素子として発振する第２の発振回路２５ａの属性測定期間の発振回数をカウントし、これらのカウント値から両者の比率を算出し、この比率と基準素子の素子値とから検出素子１００の検出素子値を算出し、この検出素子値に基づき、検出素子１００の属性を特定する。属性特定後は、検出素子１００を接続した第２の発振回路２５ａの物理特性測定期間の発振回数を、特定した属性及び測定した環境情報に対応する換算情報で換算することで測定対象物の物理特性を測定する。【選択図】      図３
2011034376.tif 000002
【特許請求の範囲】
【請求項１】
測定対象物に配設されて前記測定対象物の物理特性を測定する第１の無線通信装置と、前記第１の無線通信装置の動作を制御する第２の無線通信装置とを備え、
前記第１の無線通信装置は、
前記第２の無線通信装置と無線でデータの送受信を行う第１の無線通信手段と、
前記測定対象物の物理特性を検出する検出素子を接続する検出素子接続部と、
前記検出素子接続部に接続された検出素子の属性を特定する属性特定手段と、
前記検出素子の検出値の変化要因となる測定環境の状態を示す情報である環境情報を測定する環境情報測定手段と、
前記第２の無線通信装置から前記第１の無線通信手段を介して受信した測定指示情報に応じて、前記検出素子を用いて、前記測定対象物の物理特性を検出する物理特性検出手段と、
前記属性特定手段で特定される前記属性と前記環境情報測定手段で測定される環境情報とに対応した、前記物理特性検出手段によって前記検出素子を用いて検出した検出値を補正する補正情報を記憶する補正情報記憶手段と、
前記補正情報記憶手段に記憶された、前記属性特定手段で特定した属性と前記環境情報測定手段で測定した環境情報とに対応する補正情報に基づき、前記物理特性検出手段によって前記検出素子を用いて検出した検出値を補正する検出値補正手段と、
前記検出値補正手段で補正した検出値に基づき測定情報を生成する測定情報生成手段と、
前記測定情報生成手段で生成した測定情報を記憶する第１の測定情報記憶手段と、
前記第２の無線通信装置から前記第１の無線通信手段を介して受信した送信指示情報に応じて、前記第１の測定情報記憶手段に記憶された測定情報を前記第１の無線通信手段を介して前記第２の無線通信装置に送信する測定情報送信手段と、を備え、
前記第２の無線通信装置は、
前記第１の無線通信装置と無線でデータの送受信を行う第２の無線通信手段と、
前記第１の無線通信装置に、前記第２の無線通信手段を介して前記測定指示情報を送信する測定指示情報送信手段と、
前記第１の無線通信装置に、前記第２の無線通信手段を介して前記送信指示情報を送信する送信指示情報送信手段と、
前記第１の無線通信装置から前記第２の無線通信手段を介して受信した測定情報を記憶する第２の測定情報記憶手段と、を備えることを特徴とする測定システム。
【請求項２】
前記第１の無線通信装置は、
前記検出素子接続部に接続された検出素子を構成要素として含む第１の回路と、
前記検出素子と同種の基準素子を構成要素として選択的に含む第２の回路とを備え、
前記属性特定手段は、前記第１の回路の出力と前記第２の回路の出力とに基づき、前記検出素子接続部に接続された検出素子の属性を特定することを特徴とする請求項１に記載の測定システム。
【請求項３】
前記検出素子は、前記測定対象物の物理特性の変化に応じて抵抗値又は容量値を変化させる素子であり、
前記第１の回路は、前記検出素子を発振用素子として発振する発振回路であり、
前記第２の回路は、前記基準素子を発振用素子として発振する発振回路であり、
前記属性特定手段は、前記第１の回路の前記所定時間の発振回数である第１の発振回数と、前記第２の回路の前記所定時間の発振回数である第２の発振回数とを計数する第１の計数部と、前記第１の発振回数と前記第２の発振回数との比率を算出する比率算出部と、前記比率算出部で算出した比率と前記基準素子の素子値とに基づき前記検出素子の素子値を算出する素子値算出部と、前記素子値算出部で算出した素子値に基づき前記検出素子の属性を特定する属性特定部とを有することを特徴とする請求項２に記載の測定システム。
【請求項４】
前記測定環境の状態に応じて変化する前記基準素子の素子値を補正する素子値補正情報を記憶する素子値補正情報記憶手段を備え、
前記属性特定部は、前記素子値算出部で算出した前記検出素子の素子値を、前記基準素子の素子値補正情報で補正した値に基づき、前記検出素子の属性を特定することを特徴とする請求項３に記載の測定システム。
【請求項５】
前記物理特性検出手段は、前記第１の回路の設定された測定期間における発振回数である第３の発振回数を計数する第２の計数部と、前記属性特定手段で特定される前記検出素子の属性と前記環境情報測定手段で測定される環境情報とに対応する、前記第３の発振回数を前記検出素子の検出値に換算する換算情報を記憶する換算情報記憶部と、前記属性特定手段で特定した属性と前記環境情報測定手段で測定した環境情報とに対応する換算情報を前記換算情報記憶部から取得し、取得した換算情報に基づき前記第３の発振回数を前記検出素子の検出値に換算する換算部とを有することを特徴とする請求項３又は請求項４に記載の測定システム。
【請求項６】
前記第１の無線通信装置は、
前記第２の無線通信装置から前記第１の無線通信手段を介して受信した修正指示情報に応じて、前記測定期間を修正する測定期間修正手段を備え、
前記第２の無線通信装置は、
前記第１の無線通信装置に、前記第２の無線通信手段を介して前記測定期間を修正する修正指示情報を送信する修正指示情報送信手段を備えることを特徴とする請求項５に記載の測定システム。
【請求項７】
前記測定情報生成手段は、前記第３の発振回数の計数において前記計数部で桁溢れが生じた場合に、その旨を示す桁溢れ情報を含む測定情報を生成し、
前記修正指示情報送信手段は、前記第１の無線通信装置から前記第２の無線通信手段を介して前記桁溢れ情報を含む測定情報を受信したときに、前記桁溢れ情報に基づき、前記測定期間を所定期間だけ短くする指示内容を含む第１の修正指示情報を前記第１の無線通信装置に前記第２の無線通信手段を介して送信し、
前記測定期間修正手段は、前記第２の無線通信装置から前記第１の無線通信手段を介して前記第１の修正指示情報を受信したときに、現在設定されている測定期間を前記所定期間だけ短くする修正を行うことを特徴とする請求項６に記載の測定システム。
【請求項８】
前記測定情報生成手段は、前記物理特性検出手段で検出した検出値に対応する第３の発振回数に係る情報と前記第２の計数部の桁数の情報とを含む測定情報を生成し、
前記修正指示情報送信手段は、前記第１の無線通信装置から前記第２の無線通信手段を介して前記測定情報を受信したときに、前記測定情報に含まれる前記第３の発振回数に係る情報と前記第２の計数部の桁数の情報とに基づき前記桁数に余裕があるか否かを判定する桁数判定部と、前記桁数判定部で桁数に余裕があると判定したときに、前記測定期間を所定期間だけ長くする指示内容を含む第２の修正指示情報を前記第１の無線通信装置に前記第２の無線通信手段を介して送信し、
前記測定期間修正手段は、前記第２の無線通信装置から前記第１の無線通信手段を介して前記第２の修正指示情報を受信したときに、現在設定されている測定期間を前記所定期間だけ長くする修正を行うことを特徴とする請求項６又は請求項７に記載の測定システム。
【請求項９】
前記検出素子は、前記物理特性の変化に応じて抵抗値又は容量値を変化させる素子であり、
前記環境情報は、温度情報を含み、
前記補正情報は、前記複数の基準素子の温度係数の情報を含むことを特徴とする請求項１乃至請求項８のいずれか１項に記載の測定システム。
【請求項１０】
前記第１の無線通信装置は、
抵抗値の異なる複数の抵抗素子を含み、前記複数の抵抗素子のうちいずれか１つの抵抗素子を選択し、選択した抵抗素子を前記検出素子と前記第１の回路の前記検出素子以外の回路部との間に直列に接続する抵抗接続手段を備え、
前記抵抗接続手段は、前記直列に接続する抵抗素子として、前記属性の特定前は前記複数の抵抗素子のうち予め設定された抵抗値の抵抗素子を選択して接続し、前記属性の特定後は前記複数の抵抗素子のうち、前記特定された属性に対応する抵抗値の抵抗素子を選択して接続することを特徴とする請求項１乃至請求項９のいずれか１項に記載の測定システム。
【請求項１１】
前記第１の無線通信手段は、時刻を測定する時刻測定手段を備え、
前記測定情報生成手段は、前記時刻測定手段で測定した、前記物理特性を検出した時刻の情報を含む測定情報を生成することを特徴とする請求項１乃至請求項１０のいずれか１項に記載の測定システム。
【請求項１２】
前記測定情報生成手段は、前記物理特性検出手段でＮ回（Ｎは３以上の自然数）連続して検出された前記検出値のｎ回（ｎは２≦ｎ＜Ｎの自然数）ごとの移動平均を算出する移動平均算出部を有し、前記物理特性の測定結果として前記移動平均を含む測定情報を生成することを特徴とする請求項１乃至請求項１１のいずれか１項に記載の測定システム。
【請求項１３】
測定対象物に配設され前記測定対象物の物理特性を測定する無線通信装置であって、
外部の他の無線通信装置と無線でデータの送受信を行う無線通信手段と、
前記測定対象物の物理特性を検出する検出素子を接続する検出素子接続部と、
前記検出素子接続部に接続された検出素子の属性を特定する属性特定手段と、
前記検出素子の検出値の変化要因となる測定環境の状態を示す情報である環境情報を測定する環境情報測定手段と、
前記他の無線通信装置から前記無線通信手段を介して受信した測定指示情報に応じて、前記検出素子を用いて、前記測定対象物の物理特性を検出する物理特性検出手段と、
前記属性特定手段で特定される前記属性と前記環境情報測定手段で測定される環境情報とに対応した、前記物理特性検出手段によって前記検出素子を用いて検出した検出値を補正する補正情報を記憶する補正情報記憶手段と、
前記補正情報記憶手段に記憶された、前記属性特定手段で特定した属性と前記環境情報測定手段で測定した環境情報とに対応する補正情報に基づき、前記物理特性検出手段によって前記検出素子を用いて検出した検出値を補正する検出値補正手段と、
前記検出値補正手段で補正した検出値に基づき測定情報を生成する測定情報生成手段と、
前記測定情報生成手段で生成した測定情報を記憶する測定情報記憶手段と、
前記他の無線通信装置から前記無線通信手段を介して受信した送信指示情報に応じて、前記測定情報記憶手段に記憶された測定情報を前記無線通信手段を介して前記他の無線通信装置に送信する測定情報送信手段と、を備えることを特徴とする無線通信装置。
【請求項１４】
測定対象物に配設され前記測定対象物の物理特性を測定する無線通信装置を制御するための無線通信装置制御プログラムであって、
検出素子接続部に接続された、前記測定対象物の物理特性を検出する検出素子の属性を特定する属性特定手段、
外部の他の無線通信装置から無線でデータの送受信を行う無線通信手段を介して受信した測定指示情報に応じて、前記検出素子を用いて、前記測定対象物の物理特性を検出する物理特性検出手段、
補正情報記憶手段に記憶された、前記属性特定手段で特定した属性と環境情報測定手段で測定した前記検出素子の検出値の変化要因となる測定環境の状態を示す情報である環境情報とに対応する補正情報に基づき、前記物理特性検出手段によって前記検出素子を用いて検出した検出値を補正する検出値補正手段、
前記検出値補正手段で補正した検出値に基づき測定情報を生成する測定情報生成手段、及び、
前記他の無線通信装置から前記無線通信手段を介して受信した送信指示情報に応じて、測定情報記憶手段に記憶された前記測定情報生成手段で生成した測定情報を前記無線通信手段を介して前記他の無線通信装置に送信する測定情報送信手段として実現される機能をコンピューターに実行させるためのプログラムを含むことを特徴とする無線通信装置制御プログラム。
【請求項１５】
測定対象物に配設され前記測定対象物の物理特性を測定する無線通信装置を制御するための無線通信装置制御方法であって、
属性特定手段に、検出素子接続部に接続された、前記測定対象物の物理特性を検出する検出素子の属性を特定させる属性特定ステップと、
物理特性検出手段に、外部の他の無線通信装置から無線でデータの送受信を行う無線通信手段を介して受信した測定指示情報に応じて、前記検出素子を用いて、前記測定対象物の物理特性を検出させる物理特性検出ステップと、
環境情報測定手段に、前記検出素子の検出値の変化要因となる測定環境の状態を示す情報である環境情報を測定させる環境情報測定ステップと、
検出値補正手段に、補正情報記憶手段に記憶された、前記属性特定ステップで特定した属性と環境情報測定ステップで測定した環境情報とに対応する補正情報に基づき、前記物理特性検出ステップにおいて前記検出素子を用いて検出した検出値を補正させる検出値補正ステップと、
測定情報生成手段に、前記検出値補正ステップで補正した検出値に基づき測定情報を生成させる測定情報生成ステップと、
測定情報記憶手段に、前記測定情報生成ステップで生成した測定情報を記憶させる測定情報記憶ステップと、
測定情報送信手段に、前記他の無線通信装置から前記無線通信手段を介して受信した送信指示情報に応じて、前記測定情報記憶ステップで記憶した測定情報を前記無線通信手段を介して前記他の無線通信装置に送信させる測定情報送信ステップとを含むことを特徴とする無線通信装置制御方法。
【発明の詳細な説明】
【技術分野】
【０００１】
本発明は、測定対象物の物理特性を検出する検出素子を接続可能な無線通信装置を用いて、測定対象物の物理特性を測定するのに好適な測定システム、無線通信装置、無線通信装置制御プログラム及び無線通信装置制御方法に関する。
【背景技術】
【０００２】
従来、測定対象物の物理特性を検出可能な検出素子を備えた無線通信装置を用いて測定対象物の物理特性を測定する技術として、例えば、特許文献１に記載された技術がある。
特許文献１に記載された逆浸透システムは、ＲＦＩＤ（Radio Frequency IDentification）タグと、透過液の導電度及び流量のうちの少なくとも１つの値を測定する測定装置とを備え、測定装置は、測定した前記値に関する情報をＲＦＩＤタグに伝送するように構成されている。また、導電度の測定においては熱電対を用いた温度測定を行い、温度補償回路によって液体の抵抗値又はコンダクタンスの温度補償を行っている。また、測定装置として、歪みゲージによって透過液の流量を測定する流体流量計を備えた構成についても記載されている。
【先行技術文献】
【特許文献】
【０００３】
【特許文献１】特開２００８−５３０２０５号公報
【発明の概要】
【発明が解決しようとする課題】
【０００４】
上記特許文献１の従来技術において、測定装置の温度特性に応じた適切な温度補償を行うためには、ＲＦＩＤタグ側で測定装置（導電度計又は流量計）の種類又は型番ごとの温度特性が既知である必要がある。しかしながら、上記特許文献１では、ＲＦＩＤタグに測定装置の種類又は型番を自動認識する機能がなく、かつ種類や型番に応じたデータが用意されていないため、測定装置を構成する流量計又は導電度計の種類又は型番を変更した場合に、適切な温度補償を行えない恐れがある。
そこで、本発明は、このような従来の技術の有する未解決の課題に着目してなされたものであって、測定対象物の物理特性を検出する検出素子を接続可能な無線通信装置を用いて、測定対象物の物理特性を測定するのに好適な測定システム、無線通信装置、無線通信装置制御プログラム及び無線通信装置制御方法を提供することを目的としている。
【課題を解決するための手段】
【０００５】
〔形態１〕  上記目的を達成するために、形態１の測定システムは、
測定対象物に配設されて前記測定対象物の物理特性を測定する第１の無線通信装置と、前記第１の無線通信装置の動作を制御する第２の無線通信装置とを備え、
前記第１の無線通信装置は、
前記第２の無線通信装置と無線でデータの送受信を行う第１の無線通信手段と、
前記測定対象物の物理特性を検出する検出素子を接続する検出素子接続部と、
前記検出素子接続部に接続された検出素子の属性を特定する属性特定手段と、
前記検出素子の検出値の変化要因となる測定環境の状態を示す情報である環境情報を測定する環境情報測定手段と、
前記第２の無線通信装置から前記第１の無線通信手段を介して受信した測定指示情報に応じて、前記検出素子を用いて、前記測定対象物の物理特性を検出する物理特性検出手段と、
前記属性特定手段で特定される前記属性と前記環境情報測定手段で測定される環境情報とに対応した、前記物理特性検出手段によって前記検出素子を用いて検出した検出値を補正する補正情報を記憶する補正情報記憶手段と、
前記補正情報記憶手段に記憶された、前記属性特定手段で特定した属性と前記環境情報測定手段で測定した環境情報とに対応する補正情報に基づき、前記物理特性検出手段によって前記検出素子を用いて検出した検出値を補正する検出値補正手段と、
前記検出値補正手段で補正した検出値に基づき測定情報を生成する測定情報生成手段と、
前記測定情報生成手段で生成した測定情報を記憶する第１の測定情報記憶手段と、
前記第２の無線通信装置から前記第１の無線通信手段を介して受信した送信指示情報に応じて、前記第１の測定情報記憶手段に記憶された測定情報を前記第１の無線通信手段を介して前記第２の無線通信装置に送信する測定情報送信手段と、を備え、
前記第２の無線通信装置は、
前記第１の無線通信装置と無線でデータの送受信を行う第２の無線通信手段と、
前記第１の無線通信装置に、前記第２の無線通信手段を介して前記測定指示情報を送信する測定指示情報送信手段と、
前記第１の無線通信装置に、前記第２の無線通信手段を介して前記送信指示情報を送信する送信指示情報送信手段と、
前記第１の無線通信装置から前記第２の無線通信手段を介して受信した測定情報を記憶する第２の測定情報記憶手段と、を備える。
【０００６】
このような構成であれば、第１の無線通信装置において、検出素子接続部に検出素子が接続されると、属性特定手段によって、検出素子の属性が特定される。この属性は、例えば、検出素子が抵抗変化型の素子であればその素子の抵抗値の絶対値などとなり、検出素子が容量変化型の素子であればその素子の容量値の絶対値などとなる。
一方、第２の無線通信装置から測定指示情報が送信され、これを第１の無線通信装置が受信すると、物理特性検出手段は、検出素子接続部に接続された検出素子を用いて、測定対象物の物理特性の検出を行う。また、環境情報測定手段によって、測定環境の状態を示す環境情報が測定される。
【０００７】
そして、物理特性が検出されると、検出値補正手段において、補正情報記憶手段に記憶された、特定された属性及び測定された環境情報に対応する補正情報に基づき、検出値が補正される。
検出値が補正されると、測定情報生成手段において、補正後の検出値に基づき測定情報が生成され、生成された測定情報が第１の測定情報記憶手段に記憶される。
【０００８】
また、第２の無線通信装置から送信指示情報が送信され、これを第１の無線通信装置が受信すると、測定情報送信手段において、第１の測定情報記憶手段に記憶された測定情報が取得され、取得された測定情報が第１の無線通信手段を介して第２の無線通信装置に送信される。
第２の無線通信装置は、第２の無線通信手段を介して測定情報を受信すると、受信した測定情報を第２の測定情報記憶手段に記憶する。
従って、検出素子接続部に接続された検出素子の属性を自動的に特定することができると共に、特定した属性に応じた補正情報で検出値を補正することができる。
【０００９】
これによって、利用者が任意の検出素子を検出素子接続部に接続するだけで、第１の無線通信装置側が、その検出素子の属性を自動で判断し、その検出値に対して属性及び環境情報に応じた適切な補正を行うことができる。つまり、共通の第１の無線通信装置において、複数種類の検出素子の属性を自動で認識して適切な補正を行うことができる。従って、検出素子の属性に対して第１の無線通信装置が一対一に固定化された従来の構成と比較して、利用者は、検出素子と第１の無線通信装置との組み合わせを意識することなく、任意の検出素子を接続して利用することができるので、利便性を向上することができるという効果が得られる。
【００１０】
ここで、測定対象物の物理特性とは、例えば、測定対象物の温度、湿度、圧力、応力、重量、歪み等が該当する。
また、検出素子は、サーミスタ、湿度センサ、歪みゲージ、ピエゾ抵抗型半導体素子などの上記した測定対象物の温度、湿度、圧力、応力、重量、歪み等を検出することができる素子が該当する。
【００１１】
また、属性は、検出素子の素子値の絶対値、型式、型番などの検出素子の特性を特定できる情報などが該当する。例えば、検出素子が歪みゲージである場合は、１２０Ω型、３５０Ω型、１ｋΩ型などのゲージ抵抗の絶対値で表された型式となる。
また、環境情報は、測定環境の状態を示す温度や湿度などであり、検出素子の検出値を変化させる要因となる測定環境の状態を示す情報である。
また、補正情報は、温度や湿度などの測定環境の状態によって変化する検出値を補正するための情報であり、例えば、検出素子が抵抗素子であれば、温度係数の情報などとなる。
【００１２】
〔形態２〕  更に、形態２の測定システムは、形態１の測定システムにおいて、
前記第１の無線通信装置は、
前記検出素子接続部に接続された検出素子を構成要素として含む第１の回路と、
前記検出素子と同種の基準素子を構成要素として選択的に含む第２の回路とを備え、
前記属性特定手段は、前記第１の回路の出力と前記第２の回路の出力とに基づき、前記検出素子接続部に接続された検出素子の属性を特定する。
【００１３】
このような構成であれば、検出素子接続部に検出素子が接続されると、その検出素子を構成要素として第１の回路が構成される。そして、属性特定手段において、第１の回路の出力と、検出素子と同種の基準素子を構成要素として含む第２の回路の出力とに基づき、検出素子の属性が特定される。
これによって、利用者が任意の検出素子を検出素子接続部に接続するだけで、第１の無線通信装置側が、その検出素子の属性を自動で判断し、その検出値に対して属性及び環境情報に応じた適切な補正を行うことができる。
【００１４】
また、具体的な属性の特定方法として、例えば、検出素子が、抵抗素子又は容量素子の場合に、検出素子を構成要素とした第１の回路の出力と、抵抗値や容量値などの予め素子値が既知である検出素子と同種の基準素子を構成要素とした第２の回路の出力とを比較する。そして、両者の出力の比率から予め解っている基準素子の素子値を比率に応じた倍率ＸでＸ倍した値を、検出素子の属性として特定する方法などがある。
【００１５】
ここで、第１の回路は、検出素子を構成要素として、特定の入力に対して特定の出力をする回路であり、例えば、検出素子が抵抗素子であれば、単純には抵抗素子のみの回路でも良く、または容量素子と組み合わせて発振回路等を構成してもよい。
また、第２の回路は、第１の回路と同様の構成の回路、又は自己の出力と第１の回路の出力とから検出素子の属性を特定できる回路であれば、第１の回路と異なる構成の回路でもよい。
【００１６】
〔形態３〕  更に、形態３の測定システムは、形態１又は２の測定システムにおいて、
前記検出素子は、前記測定対象物の物理特性の変化に応じて抵抗値又は容量値を変化させる素子であり、
前記第１の回路は、前記検出素子を発振用素子として発振する発振回路であり、
前記第２の回路は、前記基準素子を発振用素子として発振する発振回路であり、
前記属性特定手段は、前記第１の回路の前記所定時間の発振回数である第１の発振回数と、前記第２の回路の前記所定時間の発振回数である第２の発振回数とを計数する第１の計数部と、前記第１の発振回数と前記第２の発振回数との比率を算出する比率算出部と、前記比率算出部で算出した比率と前記基準素子の素子値とに基づき前記検出素子の素子値を算出する素子値算出部と、前記素子値算出部で算出した素子値に基づき前記検出素子の属性を特定する属性特定部とを有する。
【００１７】
このような構成であれば、検出素子接続部に検出素子が接続されると、その検出素子を発振用素子とした発振回路である第１の回路が構成される。そして、属性特定手段における、第１の計数部において、第１の回路の所定時間の発振回数である第１の発振回数と、第２の回路の所定時間の発振回数である第２の発振回数とが計数される。そして、比率算出部において、第１の発振回数と第２の発振回数との比率が算出され、素子値算出部において、前記比率と基準素子の素子値とに基づき検出素子の素子値が算出される。更に、属性特定部において、前記算出した素子値に基づき検出素子の属性が特定される。
従って、第１の発振回数と第２の発振回数とを計数する時間を適宜に定めることで、高精度に検出素子の属性を特定することができるという効果が得られる。
【００１８】
〔形態４〕  更に、形態４の測定システムは、形態３の測定システムにおいて、
前記測定環境の状態に応じて変化する前記基準素子の素子値を補正する素子値補正情報を記憶する素子値補正情報記憶手段を備え、
前記属性特定部は、前記素子値算出部で算出した前記検出素子の素子値を、前記基準素子の素子値補正情報で補正した値に基づき、前記検出素子の属性を特定する。
このような構成であれば、測定環境の状態に応じて基準素子の素子値が変動した場合でも、素子値補正情報によって、算出した検出素子の素子値を補正することができるので、より高精度に検出素子の属性を特定することができるという効果が得られる。
【００１９】
〔形態５〕  更に、形態５の測定システムは、形態３又は４の測定システムにおいて、
前記物理特性検出手段は、前記第１の回路の設定された測定期間における発振回数である第３の発振回数を計数する第２の計数部と、前記属性特定手段で特定される前記検出素子の属性と前記環境情報測定手段で測定される環境情報とに対応する、前記第３の発振回数を前記検出素子の検出値に換算する換算情報を記憶する換算情報記憶部と、前記属性特定手段で特定した属性と前記環境情報測定手段で測定した環境情報とに対応する換算情報を前記換算情報記憶部から取得し、取得した換算情報に基づき前記第３の発振回数を前記検出素子の検出値に換算する換算部とを有する。
【００２０】
このような構成であれば、物理特性の変化に応じて変化する検出素子の検出値を第１の回路において第３の発振回数として得て、該第３の発振回数を換算情報に基づき換算することで物理特性の検出値を得ることができる。
従って、検出素子の検出値を直接得るのではなく、検出素子を発振用素子とした発振回数を計測してそれを検出値に換算するようにしたので、正確な換算情報を用いることで、より高精度な測定を行うことができるという効果が得られる。
【００２１】
〔形態６〕  更に、形態６の測定システムは、形態５の測定システムにおいて、
前記第１の無線通信装置は、
前記第２の無線通信装置から前記第１の無線通信手段を介して受信した修正指示情報に応じて、前記測定期間を修正する測定期間修正手段を備え、
前記第２の無線通信装置は、
前記第１の無線通信装置に、前記第２の無線通信手段を介して前記測定期間を修正する修正指示情報を送信する修正指示情報送信手段を備える。
【００２２】
このような構成であれば、第２の無線通信装置から修正指示情報が送信され、これを第１の無線通信装置が受信すると、測定期間修正手段において、受信した修正指示情報に基づき設定されている測定期間が修正される。
従って、第１の無線通信装置を、例えば、利用者の作業しにくい入り組んだ場所に配設したり、コンクリートの柱内などに埋設したりした場合に、設定された測定期間において第２計数部の桁溢れなどが生じた場合でも、無線通信によって離れた位置から指示を与えて、測定期間を修正することができるという効果が得られる。
【００２３】
〔形態７〕  更に、形態７の測定システムは、形態６の測定システムにおいて、
前記測定情報生成手段は、前記第３の発振回数の計数において前記計数部で桁溢れが生じた場合に、その旨を示す桁溢れ情報を含む測定情報を生成し、
前記修正指示情報送信手段は、前記第１の無線通信装置から前記第２の無線通信手段を介して前記桁溢れ情報を含む測定情報を受信したときに、前記桁溢れ情報に基づき、前記測定期間を所定期間だけ短くする指示内容を含む第１の修正指示情報を前記第１の無線通信装置に前記第２の無線通信手段を介して送信し、
前記測定期間修正手段は、前記第２の無線通信装置から前記第１の無線通信手段を介して前記第１の修正指示情報を受信したときに、現在設定されている測定期間を前記所定期間だけ短くする修正を行う。
このような構成であれば、設定された測定期間において第２計数部の桁溢れが生じた場合に、測定情報生成手段において、桁溢れが生じた旨を示す測定情報が生成される。
【００２４】
そして、第２の無線通信装置からの送信指示情報に応じて、桁溢れ情報を含む測定情報が第２の無線通信装置に送信される。
第２の無線通信装置は、桁溢れ情報を含む測定情報を受信すると、設定指示情報送信手段において、桁溢れ情報に基づき、第１の無線通信装置において設定されている測定期間を、それよりも所定期間だけ短くしたものに修正する指示内容を含む第１の修正指示情報を前記第１の無線通信装置に送信する。
第１の無線通信装置は、第１の修正指示情報を受信すると、測定期間設定手段において、現在設定されている測定期間を前記所定期間だけ短くする修正を行う。
従って、初期に設定した測定期間では桁溢れが生じてしまう場合に、無線通信によって指示を与えて、測定期間を桁溢れが生じない期間に修正することができるという効果が得られる。
【００２５】
〔形態８〕  更に、形態８の測定システムは、形態６又は７の測定システムにおいて、
前記測定情報生成手段は、前記物理特性検出手段で検出した検出値に対応する第３の発振回数に係る情報と前記第２の計数部の桁数の情報とを含む測定情報を生成し、
前記修正指示情報送信手段は、前記第１の無線通信装置から前記第２の無線通信手段を介して前記測定情報を受信したときに、前記測定情報に含まれる前記第３の発振回数に係る情報と前記第２の計数部の桁数の情報とに基づき前記桁数に余裕があるか否かを判定する桁数判定部と、前記桁数判定部で桁数に余裕があると判定したときに、前記測定期間を所定期間だけ長くする指示内容を含む第２の修正指示情報を前記第１の無線通信装置に前記第２の無線通信手段を介して送信し、
前記測定期間修正手段は、前記第２の無線通信装置から前記第１の無線通信手段を介して前記第２の修正指示情報を受信したときに、現在設定されている測定期間を前記所定期間だけ長くする修正を行う。
【００２６】
このような構成であれば、物理特性検出手段によって、検出素子を用いて物理特性が検出されると、測定情報生成手段によって、第３の発振回数に係る情報と第２の計数部の桁数の情報とを含む測定情報が生成される。
そして、第２の無線通信装置からの送信指示情報に応じて、第３の発振回数に係る情報と第２の計数部の桁数の情報とを含む測定情報が第２の無線通信装置に送信される。
【００２７】
第２の無線通信装置は、測定情報を受信すると、修正指示情報送信手段において、桁数判定部によって、測定情報に含まれる、第３の発振回数に係る情報と第２の計数部の桁数の情報とに基づき、桁数に余裕があるか否かが判定される。そして、桁数に余裕があると判定されると、測定期間を所定期間だけ長くする指示内容を含む第２の修正指示情報が前記第１の無線通信装置に送信される。
第１の無線通信装置は、第２の修正指示情報を受信すると、測定期間修正手段において、現在設定されている測定期間を前記所定期間だけ長くする修正を行う。
従って、初期に設定した測定期間では計数回数に余裕がある場合に、外部から指示を与えて、測定期間を現在の期間よりも長くして測定精度を向上することができるという効果が得られる。
【００２８】
〔形態９〕  更に、形態９の測定システムは、形態１乃至８のいずれか１の測定システムにおいて、
前記検出素子は、前記物理特性の変化に応じて抵抗値又は容量値を変化させる素子であり、
前記環境情報は、温度情報を含み、
前記補正情報は、前記複数の基準素子の温度係数の情報を含む。
このような構成であれば、測定環境の温度に応じて変化する検出素子の抵抗値又は容量値に対応する補正情報によって、検出素子の検出値を補正することができる。
【００２９】
〔形態１０〕  更に、形態１０の測定システムは、形態９の測定システムにおいて、
前記第１の無線通信装置は、
抵抗値の異なる複数の抵抗素子を含み、前記複数の抵抗素子のうちいずれか１つの抵抗素子を選択し、選択した抵抗素子を前記検出素子と前記第１の回路の前記検出素子以外の回路部との間に直列に接続する抵抗接続手段を備え、
前記抵抗接続手段は、前記直列に接続する抵抗素子として、前記属性の特定前は前記複数の抵抗素子のうち予め設定された抵抗値の抵抗素子を選択して接続し、前記属性の特定後は前記複数の抵抗素子のうち、前記特定された属性に対応する抵抗値の抵抗素子を選択して接続する。
【００３０】
このような構成であれば、未知の検出素子が検出素子接続部に接続されたときに、検出素子の属性が特定される前に、抵抗接続手段によって、検出素子と直列に予め設定された抵抗値の抵抗素子を接続することができる。また、検出素子の属性が特定後は、抵抗接続手段によって、特定された属性に対応する抵抗値の抵抗素子を検出素子と直列に接続することができる。
【００３１】
従って、属性の特定前は、比較的大きい抵抗値の抵抗素子を接続することで、検出素子に対して大電流が流れることを防ぐことができるという効果が得られる。また、特定後は、検出素子の属性に応じた抵抗値の抵抗素子として、例えば、検出素子に大電流が流れない範囲で、第１の回路の発振が正常に行われる最低値の抵抗素子を接続する。これにより、検出素子に大電流が流れるのを防ぐことができると共に、抵抗値が小さすぎて発振回路が正常に発振しないなどの不具合が生じるのを防ぐことができるという効果が得られる。
【００３２】
また、特定後は、検出素子に大電流が流れない範囲内で且つ第１の回路の発振が正常に行われる範囲内で、特定された属性に対応する検出素子の素子値の変化と、この検出素子を発振用素子としたときの第１の回路の発振周波数との関係が、最も線形となる抵抗値の抵抗素子を接続することも可能である。これにより、検出精度を向上することができるという効果も得られる。
【００３３】
〔形態１１〕  更に、形態１１の測定システムは、形態１乃至１０のいずれか１の測定システムにおいて、
前記第１の無線通信手段は、時刻を測定する時刻測定手段を備え、
前記測定情報生成手段は、前記時刻測定手段で測定した、前記物理特性を検出した時刻の情報を含む測定情報を生成する。
このような構成であれば、測定時刻の情報を含む測定情報を生成することができるので、第２の無線通信装置側で測定時刻の監視等を行うことなく簡易に測定結果の時刻管理を行うことができるという効果が得られる。
【００３４】
〔形態１２〕  更に、形態１３の測定システムは、形態１乃至１１のいずれか１の測定システムにおいて、
前記測定情報生成手段は、前記物理特性検出手段でＮ回（Ｎは３以上の自然数）連続して検出された前記検出値のｎ回（ｎは２≦ｎ＜Ｎの自然数）ごとの移動平均を算出する移動平均算出部を有し、前記物理特性の測定結果として前記移動平均を含む測定情報を生成する。
このような構成であれば、測定結果をｎ回の測定で得られる検出値の移動平均値としたので、測定結果のデータ量を低減することができ、測定結果の保持に必要なメモリの容量を低減できると共に、測定情報の送信処理を軽減することができるという効果が得られる。
【００３５】
〔形態１３〕  更に、形態１３の測定システムは、形態１乃至１２のいずれか１の測定システムにおいて、
前記第１の無線通信手段及び前記第２の無線通信手段は、長波帯の波長の電磁波を用いて無線通信を行う手段である。
このような構成であれば、長波帯の波長（１０００〜１００００[ｍ]）の電磁波信号で第１の無線通信装置と第２の無線通信装置とがデータ通信を行うことができる。
ここで、電磁波は、アンテナからλ／２π（λは波長）の距離（この距離の範囲内を近傍界という）では、磁界又は電界に支配される。そのため、磁界に支配された電磁波を用いることで、近傍界に存在する水や金属を透過することができる。特に、長波帯の電磁波信号を用いることで、この距離を比較的長くすることができる。
これによって、測定対象物が、水や金属で囲まれた内部などにある場合でも、第１の無線通信装置と第２の無線通信装置とがデータ通信できる状態を確保することができるという効果が得られる。
【００３６】
〔形態１４〕  一方、上記目的を達成するために、形態１４の無線通信装置は、
測定対象物に配設され前記測定対象物の物理特性を測定する無線通信装置であって、
外部の他の無線通信装置と無線でデータの送受信を行う無線通信手段と、
前記測定対象物の物理特性を検出する検出素子を接続する検出素子接続部と、
前記検出素子接続部に接続された検出素子の属性を特定する属性特定手段と、
前記検出素子の検出値の変化要因となる測定環境の状態を示す情報である環境情報を測定する環境情報測定手段と、
前記他の無線通信装置から前記無線通信手段を介して受信した測定指示情報に応じて、前記検出素子を用いて、前記測定対象物の物理特性を検出する物理特性検出手段と、
前記属性特定手段で特定される前記属性と前記環境情報測定手段で測定される環境情報とに対応した、前記物理特性検出手段によって前記検出素子を用いて検出した検出値を補正する補正情報を記憶する補正情報記憶手段と、
前記補正情報記憶手段に記憶された、前記属性特定手段で特定した属性と前記環境情報測定手段で測定した環境情報とに対応する補正情報に基づき、前記物理特性検出手段によって前記検出素子を用いて検出した検出値を補正する検出値補正手段と、
前記検出値補正手段で補正した検出値に基づき測定情報を生成する測定情報生成手段と、
前記測定情報生成手段で生成した測定情報を記憶する測定情報記憶手段と、
前記他の無線通信装置から前記無線通信手段を介して受信した送信指示情報に応じて、前記測定情報記憶手段に記憶された測定情報を前記無線通信手段を介して前記他の無線通信装置に送信する測定情報送信手段と、を備える。
このような構成であれば、形態１に記載の第１の無線通信装置と同等の作用及び効果を得ることができる。
【００３７】
〔形態１５〕  また、上記目的を達成するために、形態１５の無線通信装置制御プログラムは、
測定対象物に配設され前記測定対象物の物理特性を測定する無線通信装置を制御するための無線通信装置制御プログラムであって、
検出素子接続部に接続された、前記測定対象物の物理特性を検出する検出素子の属性を特定する属性特定手段、
外部の他の無線通信装置から無線でデータの送受信を行う無線通信手段を介して受信した測定指示情報に応じて、前記検出素子を用いて、前記測定対象物の物理特性を検出する物理特性検出手段、
補正情報記憶手段に記憶された、前記属性特定手段で特定した属性と環境情報測定手段で測定した前記検出素子の検出値の変化要因となる測定環境の状態を示す情報である環境情報とに対応する補正情報に基づき、前記物理特性検出手段によって前記検出素子を用いて検出した検出値を補正する検出値補正手段、
前記検出値補正手段で補正した検出値に基づき測定情報を生成する測定情報生成手段、及び、
前記他の無線通信装置から前記無線通信手段を介して受信した送信指示情報に応じて、測定情報記憶手段に記憶された前記測定情報生成手段で生成した測定情報を前記無線通信手段を介して前記他の無線通信装置に送信する測定情報送信手段として実現される機能をコンピューターに実行させるためのプログラムを含む。
このような構成であれば、コンピューターにおいてプログラムが実行されると、形態１に記載の第１の無線通信装置と同等の作用及び効果を得ることができる。
【００３８】
〔形態１６〕  また、上記目的を達成するために、形態１６の無線通信装置制御方法は、
測定対象物に配設され前記測定対象物の物理特性を測定する無線通信装置を制御するための無線通信装置制御方法であって、
属性特定手段に、検出素子接続部に接続された、前記測定対象物の物理特性を検出する検出素子の属性を特定させる属性特定ステップと、
物理特性検出手段に、外部の他の無線通信装置から無線でデータの送受信を行う無線通信手段を介して受信した測定指示情報に応じて、前記検出素子を用いて、前記測定対象物の物理特性を検出させる物理特性検出ステップと、
環境情報測定手段に、前記検出素子の検出値の変化要因となる測定環境の状態を示す情報である環境情報を測定させる環境情報測定ステップと、
検出値補正手段に、補正情報記憶手段に記憶された、前記属性特定ステップで特定した属性と環境情報測定ステップで測定した環境情報とに対応する補正情報に基づき、前記物理特性検出ステップにおいて前記検出素子を用いて検出した検出値を補正させる検出値補正ステップと、
測定情報生成手段に、前記検出値補正ステップで補正した検出値に基づき測定情報を生成させる測定情報生成ステップと、
測定情報記憶手段に、前記測定情報生成ステップで生成した測定情報を記憶させる測定情報記憶ステップと、
測定情報送信手段に、前記他の無線通信装置から前記無線通信手段を介して受信した送信指示情報に応じて、前記測定情報記憶ステップで記憶した測定情報を前記無線通信手段を介して前記他の無線通信装置に送信させる測定情報送信ステップとを含む。
このような構成であれば、形態１に記載の第１の無線通信装置と同等の作用及び効果を得ることができる。
【図面の簡単な説明】
【００３９】
【図１】測定システム１の概略構成を示すブロック図である。
【図２】（ａ）は、リーダ・ライタ装置１０の詳細な構成を示すブロック図であり、（ｂ）は、データ制御部１２の機能構成を示すブロック図である。
【図３】無線タグ２０の構成を示すブロック図である。
【図４】環境情報測定部２４の詳細な構成を示すブロック図である。
【図５】測定部２５の詳細な構成を示すブロック図である。
【図６】第１及び第２の発振回路の一例を示す図である。
【図７】データ制御部２３の詳細な機能構成を示すブロック図である。
【図８】属性特定部２３ａの詳細な機能構成を示すブロック図である。
【図９】指示情報の送信処理の流れの一例を示すフローチャートである。
【図１０】修正指示情報の生成処理の流れの一例を示すフローチャートである。
【図１１】初期化処理の流れの一例を示すフローチャートである。
【図１２】測定処理の流れの一例を示すフローチャートである。
【図１３】測定処理の流れの一例を示すフローチャートである。
【図１４】測定期間修正処理の流れの一例を示すフローチャートである。
【図１５】単発測定時の各装置の動作シーケンスの一例を示す図である。
【図１６】（ａ）は、環境情報として温度を測定する場合の換算情報の一例を示す図であり、（ｂ）は、換算情報の近似方法の一例を示す図である。
【図１７】検出素子１００として、歪みゲージを接続した場合の換算情報の一例を示す図である。
【図１８】連続測定時の各装置の動作シーケンスの一例を示す図である。
【図１９】連続測定時の測定結果及び測定情報の記憶手順の一例を示す図である。
【発明を実施するための形態】
【００４０】
以下、本発明の実施の形態を図面に基づき説明する。図１〜図１９は、本発明に係る測定システム、無線通信装置、無線通信装置制御プログラム及び無線通信装置制御方法の実施の形態を示す図である。
まず、本発明に係る測定システムの構成を図１に基づき説明する。図１は、本発明に係る測定システム１の概略構成を示すブロック図である。
図１（ａ）に示すように、測定システム１は、リーダ・ライタ装置１０と、第１〜第ｎ（ｎは２以上の自然数）の無線タグ２０＿１〜２０＿ｎとを含んで構成される。
リーダ・ライタ装置１０は、第１〜第ｎの無線タグ２０＿１〜２０＿ｎとの間で、ブロードキャスト及びユニキャストで無線通信を行い、第１〜第ｎの無線タグ２０＿１〜２０＿ｎの動作を制御する機能を有している。
【００４１】
第１〜第ｎの無線タグ２０＿１〜２０＿ｎは、外付けで歪ゲージ等の検出素子を接続することができ、接続された検出素子を自動認識する機能、認識した検出素子を用いて測定対象物の物理特性を測定する機能などを有している。以下、第１〜第ｎの無線タグ２０＿１〜２０＿ｎを、これらを区別する必要が無い場合に、単に無線タグ２０と称する。
測定対象物の物理特性の測定は、例えば、測定対象物が鉄筋コンクリートの柱を形成する鉄筋であり、その応力変化を、検出素子として歪ゲージを用いて測定する場合に、図１（ｂ）に示すように、歪ゲージを接続した無線タグ２０を鉄筋の応力を測定可能な状態で柱内に埋設等することで行われる。
【００４２】
次に、図２（ａ）に基づき、リーダ・ライタ装置１０の詳細な構成を説明する。
ここで、図２（ａ）は、リーダ・ライタ装置１０の詳細な構成を示すブロック図である。
図２（ａ）に示すように、リーダ・ライタ装置１０は、操作部１１と、データ制御部１２と、無線通信部１３と、コイルアンテナ１４と、データ記憶部１５と、表示部１６とを含んで構成される。
【００４３】
操作部１１は、利用者がリーダ・ライタ装置１０に指示を与えるための操作をするもので、コントロールパネル、キーボード、マウスなどのユーザーインターフェースを備えている。
データ制御部１２は、各構成要素の動作制御や各種演算処理を行うためのプロセッサーと、該プロセッサーがプログラムを実行するのに必要なデータ等を一時記憶するＲＡＭとを含むコンピューターシステムを備えている。
【００４４】
また、上記各構成要素は、データを転送するための信号線であるバスでデータ制御部１２のプロセッサーと相互にかつデータ授受可能に接続されている。
そして、データ制御部１２は、データ記憶部１５又は専用のＲＯＭ等に記憶された専用のプログラムを実行して、各構成要素の動作制御処理、操作部１１の操作入力に応じた各種指示情報の送信処理、受信した測定情報の記憶処理及び解析処理、修正指示情報の生成処理などを行う機能を有している。
【００４５】
無線通信部１３は、波長１０００〜１００００[ｍ]（周波数にして３０〜３００[ｋＨｚ]）の長波帯の電磁波を搬送波として用いた双方向の無線通信を行う機能を有したものである。例えば、周波数が１３０[ｋＨｚ]の信号を用いて無線通信を行う。これにより、近傍界の範囲において、信号が水や金属などの物体を透過することができる。
具体的に、送信データをデジタル変調（例えば、ＡＳＫ（Amplitude Shift Keying）変調）によって変調してコイルアンテナ１４を介して長波帯の電磁波を搬送波を用いて送信する機能を有している。更に、長波帯の電磁波を搬送波として搬送されたデジタル変調されたデータをコイルアンテナ１４を介して受信し、受信したデータを復調する機能を有している。
【００４６】
コイルアンテナ１４は、リーダ・ライタ装置１０と測定対象物に配設された無線タグ２０との間で、所望の通信距離において正常に無線通信できるように設計された径と巻き数とを有したアンテナである。なお、コイルアンテナに限らず、他の種類のアンテナを用いる構成としてもよい。
データ記憶部１５は、リーダ・ライタ装置１０の各構成要素の動作を制御するプログラムや、プログラムの実行に必要なデータ、無線タグ２０から受信した測定情報などを記憶するメモリを有したものである。
表示部１６は、液晶ディスプレイ等の表示装置を含んで構成され、コントロールメニューや、メッセージ、各種情報の内容などを表示するものである。
【００４７】
次に、図２（ｂ）に基づき、データ制御部１２の機能構成について説明する。
ここで、図２（ｂ）は、データ制御部１２の機能構成を示すブロック図である。
データ制御部１２の機能構成は、指示情報送信部１２ａと、受信データ処理部１２ｂと、修正指示情報生成部１２ｃとを含んで構成される。
指示情報送信部１２ａは、操作部１１を介した利用者からの操作入力に応じて、初期化指示情報、設定指示情報、測定指示情報、送信指示情報、修正指示情報などの各種指示情報を、無線通信部１３に送信させる機能を有している。
【００４８】
ここで、初期化指示情報は、無線タグ２０に初期化動作を行わせるための指示情報であり、設定指示情報は、無線タグ２０に物理特性の測定期間（以下、物理特性測定期間と称す）を、指定した期間に設定させるための指示情報である。また、測定指示情報は、無線タグ２０に、物理特性の測定を開始させるための指示情報であり、送信指示情報は、無線タグ２０に測定した物理特性の測定情報を送信させるための指示情報である。また、修正指示情報は、無線タグ２０に、その無線タグ２０に設定されている物理特性測定期間を修正させるための指示情報である。
【００４９】
本実施形態では、各種指示情報は、パケットベースで生成された固定長のデータとして無線タグに送信される。そして、送信指示情報は第１〜第ｎの無線タグ２０＿１〜２０＿ｎの個々に対してユニキャストで送信され、それ以外の指示情報は、利用者からの指示に応じて、通信範囲内に存在する第１〜第ｎの無線タグ２０＿１〜２０＿ｎの全てに対してブロードキャスト又は各無線タグ２０に対してユニキャストで送信される。従って、データ記憶部１５には、第１〜第ｎの無線タグ２０＿１〜２０＿ｎの個々を識別するための各無線タグに固有のＩＤと、全ての無線タグに同報するためのブロードキャストＩＤとが記憶されている。また、各無線タグ２０には、各々の固有ＩＤと、ブロードキャストＩＤとが記憶されている。
【００５０】
受信データ処理部１２ｂは、無線タグ２０から無線通信部１３を介して受信した測定情報を、無線タグ２０の固有のＩＤまたは各ＩＤに対応した測定対象物の識別情報ごとに、データ記憶部１５に記憶する機能を有している。
修正指示情報生成部１２ｃは、データ記憶部１５に記憶された測定情報を解析して、測定情報に含まれる、桁溢れ情報、カウント回数に係る情報、無線タグ２０の備えるカウンターの桁数の情報などに基づき、修正指示情報を生成する機能を有している。
本実施の形態において、カウント回数に係る情報は、測定を単発で行った場合は、その測定時のカウント回数となり、測定を連続で行った場合は、連続測定時の所定数のカウント回数の平均値となる。
【００５１】
具体的に、修正指示情報生成部１２ｃは、桁溢れが発生しているときは、測定時のカウント回数が減少するように、現在設定されている物理特性測定期間を予め設定された所定期間だけ短くする指示内容を含む第１の修正指示情報を生成する。また、修正指示情報生成部１２ｃは、測定値に対応するカウント回数又はその平均値と、無線タグ２０の備えるカウンターの桁数から設定される閾値とを比較する。そして、カウント回数又はその平均値が閾値以下のときに、カウンター回数に余裕があるとして、測定時のカウント回数が増加するように現在設定されている物理特性測定期間を予め設定された所定期間だけ長くする指示内容を含む第２の修正指示情報を生成する。
【００５２】
次に、図３〜図８に基づき、無線タグ２０の詳細な構成を説明する。
ここで、図３は、無線タグ２０の構成を示すブロック図である。また、図４は、環境情報測定部２４の詳細な構成を示すブロック図である。また、図５は、測定部２５の詳細な構成を示すブロック図である。また、図６は、第１及び第２の発振回路の一例を示す図である。また、図７は、データ制御部２３の詳細な機能構成を示すブロック図である。また、図８は、属性特定部２３ａの詳細な機能構成を示すブロック図である。
【００５３】
図３に示すように、無線タグ２０は、コイルアンテナ２１と、無線通信部２２と、データ制御部２３と、環境情報測定部２４と、測定部２５と、データ記憶部２６と、水晶発振回路２７と、カウンター２８と、時刻測定部２９とを含んで構成される。また、測定部２５の検出素子接続部２５ｄには、測定対象物の物理特性を検出する検出素子１００が接続される。また、図示していないが、無線タグ２０は、電池で駆動するため、電池（１次電池又は２次電池）と、電池の電力を各構成要素に供給する電源回路とを備えている。また、電池として２次電池を採用する場合は、充電回路を備える構成としてもよい。
【００５４】
コイルアンテナ２１は、リーダ・ライタ装置１０との間で、所望の通信距離において正常に無線通信できるように設計された径と巻き数を有したアンテナである。なお、コイルアンテナに限らず、他の種類のアンテナを用いる構成としてもよい。
無線通信部２２は、波長１０００〜１００００[ｍ]（周波数にして３０〜３００[ｋＨｚ]）の長波帯の電磁波を搬送波として用いた双方向の無線通信を行う機能を有したものである。本実施の形態では、リーダ・ライタ装置１０の無線通信部１３と同様の周波数帯の信号を用いて無線通信を行う。
【００５５】
無線通信部２２は、上記無線通信部１３と同様に、送信データをデジタル変調（例えば、ＡＳＫ変調）によって変調してコイルアンテナ２１を介して送信する機能と、コイルアンテナ２１を介して受信したデジタル変調された受信データを復調する機能とを有している。
データ制御部２３は、各構成要素の動作制御や各種演算処理を行うためのプロセッサーと、該プロセッサーがプログラムを実行するのに必要なデータ等を一時記憶するＲＡＭとを含むコンピューターシステムを備えている。
【００５６】
また、上記各構成要素は、データを転送するための信号線であるバスでデータ制御部２３のプロセッサーと相互にかつデータ授受可能に接続されている。
そして、データ制御部２３は、データ記憶部２６に記憶された専用のプログラムを実行して、各構成要素の動作制御処理、各種指示情報に応じた処理を行う機能を有している。
具体的に、データ制御部２３は、専用のプログラムの実行によって、環境情報測定部２４及び測定部２５で測定されたカウント値をそれぞれ対応する値に換算する機能、検出素子接続部２５ｄに接続された検出素子１００の属性を特定する機能、物理特性測定期間を設定する機能、物理特性測定期間を修正する機能、測定情報を生成する機能、測定情報を送信する機能などを実現する。
【００５７】
環境情報測定部２４は、温度や湿度などの測定環境の状態を示す情報である環境情報を測定する機能を有している。
測定部２５は、検出素子１００を発振用素子とした場合の所定時間のカウント値と、基準素子を発振用素子とした場合の所定時間のカウント値とを測定する機能などを有している。
データ記憶部２６は、各構成要素の動作制御や各種演算処理を行うための専用のプログラム、プログラムの実行に必要な各種データを記憶する記憶媒体を有したものである。
【００５８】
具体的に、データ記憶部２６には、環境情報測定部２４の各種環境に対するカウント値（環境カウント値）を各種環境情報に換算する換算情報が記憶されている。
例えば、環境情報の１つとして温度を測定するためのサーミスタを有している場合は、サーミスタを発振用素子として発振させた発振回数を温度へと換算する温度換算情報が記憶される。
更に、物理特性測定期間の長さ、環境情報の示す各状態及び各種検出素子１００の属性に対応する測定部２５の物理特性に対するカウント値を測定対象の検出値に換算する換算情報がデータ記憶部２６に記憶されている。
【００５９】
例えば、検出素子１００として１２０Ω型、３５０Ω型、１ｋΩ型などの各型式の歪ゲージを接続する場合は、環境情報の示す各状態及び各型式に対応した、歪ゲージを発振用素子として発振させた発振回数を、測定対象の応力値に換算する応力換算情報がデータ記憶部２６に記憶される。
更に、測定部２５の各種基準素子に対応する環境情報に対する補正情報、測定部２５の補正抵抗群の各補正抵抗の抵抗値の情報、検出素子１００の各型式に対応する補正抵抗の情報などが記憶されている。
【００６０】
例えば、検出素子１００として歪みゲージが接続される場合は、測定部２５は、基準素子として、基準抵抗素子を有することとなる。従って、この場合は、少なくとも、基準抵抗素子の抵抗値の情報、基準抵抗素子の環境情報に対する補正情報、歪みゲージの各型式に対応する補正抵抗の情報がデータ記憶部２６に記憶される。
水晶発振回路２７は、発振用素子として水晶発振子を含んだ発振回路であり、その発振回数を基準として、他のカウンターのカウント期間が制御される。
【００６１】
カウンター２８は、設定された各種測定期間に応じて水晶発振回路２７の発振出力を分周して測定期間（インターバル）を決定するトリガ信号を生成する機能と、各種分周した信号を、測定部２５、環境情報測定部２４、時刻測定部２９などに供給する機能とを有している。
時刻測定部２９は、カウンター２８から入力される信号に基づき、時刻を測定する機能を有している。つまり、時計としての機能を有している。
【００６２】
次に、図４に基づき、環境情報測定部２４の詳細な構成について説明する。
図４に示すように、環境情報測定部２４は、第１の発振回路２４ａと、カウンター２４ｃと、検出素子２４ｂとを含んで構成される。
第１の発振回路２４ａは、検出素子２４ｂを発振用素子として構成される発振回路である。本実施の形態において、検出素子２４ｂは、測定情報を測定可能な抵抗変化型の素子又は容量変化型の素子であり、第１の発振回路２４ａは、検出素子２４ｂを発振用素子としたＣＲ発振回路を構成する。
【００６３】
検出素子２４ｂは、測定環境の状態を測定するセンサ素子であって、例えば、周囲の温度を検出するサーミスタや、周囲の湿度を検出する湿度センサなどが該当する。
カウンター２４ｃは、カウンター制御信号に応じて、第１の発振回路２４ａの発振回数をカウントするカウンター回路である。カウンター制御信号は、例えば、測定開始タイミング（トリガ）又は終了タイミングに応じてカウンター値をリセットする信号である。このことは、以降で説明するカウンター制御信号についても同様である。
【００６４】
次に、図５に基づき、測定部２５の詳細な構成について説明する。
図５に示すように、測定部２５は、第２の発振回路２５ａと、カウンター２５ｂと、基準素子２５ｃと、検出素子接続部２５ｄと、抵抗切替部２５ｅと、補正抵抗素子群２５ｆと、接続切替部２５ｇとを含んで構成される。
第２の発振回路２５ａは、接続切替部２５ｇを介して接続される基準素子２５ｃ又は検出素子１００を発振用素子として発振する発振回路である。本実施の形態において、検出素子１００は、抵抗変化型の素子又は容量変化型の素子であり、基準素子２５ｃは、検出素子１００と同種の素子となる。そして、本実施の形態において、第２の発振回路２５ａは、検出素子１００又は基準素子２５ｃを発振用素子としたＣＲ発振回路を構成する。
【００６５】
カウンター２５ｂは、外部からのカウンター制御信号に応じて、第２の発振回路２５ａの発振回数をカウントするカウンター回路である。
基準素子２５ｃは、検出素子１００と同種の素子であって、抵抗変化型及び容量変化型の両方の検出素子１００に対応する場合は、基準抵抗素子及び基準容量素子を含んで構成される。基準素子２５ｃは、接続切替部２５ｇによって、検出素子１００の種類に対応したものが選択されて第２の発振回路２５ａに接続される。
検出素子接続部２５ｄは、検出素子１００を無線タグ２０に接続するコネクターである。抵抗変化型及び容量変化型の両方の検出素子１００に対応する場合は、それぞれに対応するコネクト部を有する。
【００６６】
抵抗切替部２５ｅは、補正抵抗素子群２５ｆの補正抵抗素子のうち、抵抗切替信号に応じた抵抗値の補正抵抗を、第２の発振回路２５ａと検出素子接続部２５ｄとの間に直列に接続する機能を有した回路である。つまり、検出素子接続部２５ｄに検出素子１００が接続されている場合は、検出素子１００と第２の発振回路２５ａとの間に補正抵抗が直列に接続されることになる。但し、接続切替部２５ｇが、第２の発振回路２５ａに対して基準素子２５ｃを接続する状態のときは、直列接続された補正抵抗と第２の発振回路２５ａとが通電しないようになっている。
【００６７】
補正抵抗素子群２５ｆの各補正抵抗は、第１に、検出素子１００を発振用素子としたときに、第２の発振回路２５ａの抵抗成分が小さくなりすぎて、有限の能力しかない第２の発振回路２５ａが駆動しきれなくなり発振しなくなることを防ぐ働きを有する。第２に、第２の発振回路２５ａ側から検出素子１００に流れる電流量を制御する働きを有し、第３に、特定された属性に対応した検出素子１００の素子値の変化と、検出素子１００を発振用素子としたときの第２の発振回路２５ａの発振周波数との関係が線形となるように補正する働きを有する。
接続切替部２５ｇは、接続切替信号に応じて第２の発振回路２５ａに接続する発振用素子を基準素子２５ｃのいずれかの素子か又は検出素子１００に切り替える機能を有した回路である。
【００６８】
次に、図６に基づき、第１の発振回路２４ａ及び第２の発振回路２５ａの回路構成例を説明する。
第１の発振回路２４ａ及び第２の発振回路２５ａは同様の構成を有しており、これらに共通の発振回路として、図６に示すように、例えば、オペアンプを用いたＣＲ発振回路（ウィーンブリッジ発振回路）を構成することができる。外部接続される基準素子や検出素子は、例えば、図６中のＣ2又はＲ2となる。つまり、検出素子が抵抗変化型の素子ならＲ2、容量変化型の素子ならＣ2として接続されることになる。
なお、図６の回路において、発振周波数ω0は、「ω0＝１／（Ｒ1・Ｒ2・Ｃ1・Ｃ2）1/2」となる。ここで、検出素子１００及び基準素子２５ｃが、例えば、Ｒ2として接続される場合は、Ｒ1、Ｃ1及びＣ2は、予め設定された値の素子が接続される。従って、検出素子１００及び基準素子２５ｃの両者の発振回数のカウント値の比率から、検出素子１００及び基準素子２５ｃの素子値の大きさの比率が解る。
【００６９】
次に、図７に基づき、データ制御部２３の詳細な機能構成について説明する。
図７に示すように、データ制御部２３の機能構成は、属性特定部２３ａと、測定期間設定部２３ｂと、測定指示部２３ｃと、換算部２３ｄと、測定情報生成部２３ｅと、測定情報送信部２３ｆと、測定期間修正部２３ｇとを含んで構成される。
属性特定部２３ａは、リーダ・ライタ装置１０から受信した初期化指示情報に応じて、環境情報測定部２４に、検出素子２４ｂを発振用素子とした第１の発振回路２４ａの所定時間の発振回数をカウントさせる動作制御を実行する機能を有している。具体的に、予め設定された環境情報を測定する際の測定期間である環境測定期間に基づき、カウンター制御信号を環境情報測定部２４のカウンター２４ｃに送信して、設定された環境測定期間の発振回数をカウントする。
【００７０】
更に、属性特定部２３ａは、測定部２５に、検出素子接続部２５ｄに接続された検出素子１００と同種の基準素子を発振用素子とした第２の発振回路２５ａの所定時間の発振回数をカウントさせる動作制御を実行する機能を有している。具体的に、予め設定された、属性を特定する際の測定期間である属性測定期間に基づき、カウンター制御信号を測定部２５のカウンター２５ｂに送信して、設定された属性測定期間の発振回数をカウントさせ、そのカウント値を取得する。
【００７１】
更に、属性特定部２３ａは、測定部２５に、検出素子接続部２５ｄに接続された検出素子１００を発振用素子とした第２の発振回路２５ａの所定時間の発振回数をカウントさせる動作制御を実行する機能を有している。具体的に、基準素子２５ｃを発振用素子としたときと同様の属性測定期間に基づき、カウンター制御信号を測定部２５のカウンター２５ｂに送信して、設定された属性測定期間の発振回数をカウントさせ、そのカウント値を取得する。また、本実施形態では、基準素子２５ｃ及び検出素子１００に対して共通の第２の発振回路２５ａを用いているため、基準素子２５ｃのカウント値の取得後に、基準素子２５ｃから検出素子１００に接続を切り替える切替信号を測定部２５の接続切替部２５ｇに送信する。
【００７２】
更に、属性特定部２３ａは、取得したカウント値に基づき、検出素子１００の属性を特定する機能を有している。具体的に、カウント値の比率と基準素子の素子値とから検出素子１００の素子値を算出し、その算出した素子値と、データ記憶部２６に記憶された各属性に係る情報と比較して属性を特定する。
なお、上記基準素子２５ｃ及び検出素子１００に対する属性測定期間のカウント処理は、水晶発振回路２７の発振出力をカウンター２８で分周することで生成されるトリガ信号に基づき制御される。
【００７３】
測定期間設定部２３ｂは、リーダ・ライタ装置１０から受信した設定指示情報に応じて、設定指示情報で指定された測定期間を、物理特性の測定時の物理特性測定期間として設定する機能を有している。具体的に、期間設定用のメモリを有しており、そのメモリに物理特性測定期間を記憶する。本実施の形態では、水晶発振回路２７の発振回数、即ちカウンター２８のカウント回数によって設定される。
【００７４】
測定指示部２３ｃは、リーダ・ライタ装置１０から受信した測定指示情報に応じて、測定部２５に、測定期間設定部２３ｂで設定された物理特性測定期間における物理特性を測定させる動作制御を実行する機能を有している。本実施の形態では、設定された物理特性測定期間で１回のみ測定を実行させる単発測定指示と、設定された物理特性測定期間で連続して繰り返し測定を実行させる連続測定指示とが指示可能になっている。具体的に、設定された物理特性測定期間における検出素子１００を発振用素子とした第２の発振回路２５ａの発振回数をカウントさせるカウンター制御信号を測定部２５のカウンター２５ｂに送信する。ここで、単発測定指示の場合は、カウンター制御信号を１回分のみ送信し、連続測定指示の場合は、各回の測定タイミングに合わせてカウンター制御信号を繰り返し送信する。
【００７５】
換算部２３ｄは、属性特定部２３ａから環境情報に対するカウント値を取得し、データ記憶部２６からカウント値を環境情報に換算する換算情報を取得し、カウント値を環境情報を示す値に換算する機能を有している。
更に、換算部２３ｄは、測定指示部２３ｃからの指示に応じて測定されたカウント値を測定部２５から取得し、時刻測定部２９から時刻情報（タイムスタンプ）を取得し、属性特定部２３ａから特定された属性の情報を取得し、データ記憶部２６から、属性の特定時に測定された環境情報を取得する。そして、特定された属性及び取得した環境情報に対応する換算情報をデータ記憶部２６から取得し、取得した換算情報に基づきカウント値を検出値へと換算する機能を有している。
【００７６】
更に、換算部２３ｄは、単発測定の場合に、検出値に対応するカウンター２５ｂのカウント値と換算した検出値とタイムスタンプと環境情報とを測定結果として測定情報生成部２３ｅに出力する機能を有している。
更に、換算部２３ｄは、連続測定の場合に、検出値に対応するカウント値と換算した検出値とタイムスタンプと環境情報とを含む測定結果をデータ記憶部２６の記憶領域である測定結果レジスタに記憶する機能を有している。本実施の形態では、測定結果レジスタの個数が決まっており、連続測定時に最大個数を超えた測定結果は、最も古くに測定された測定結果の格納された測定結果レジスタに上書きする構成となっている。
【００７７】
更に、換算部２３ｄは、測定部２５の有するカウンターが桁溢れとなった場合は、桁溢れ情報とタイムスタンプとを含むデータを測定結果としてデータ記憶部２６の測定結果レジスタに格納する機能を有している。
測定情報生成部２３ｅは、換算部２３ｄから単発測定に対応する測定結果を取得し、カウント値と、検出値と、この検出値に対応するタイムスタンプ及び環境情報とに、カウンター２５ｂの桁数の情報を対応付けて測定情報を生成する機能を有している。
【００７８】
更に、測定情報生成部２３ｅは、データ記憶部２６に記憶された、連続測定に対応する測定結果レジスタの個数分の測定結果を、測定を１回行って測定結果レジスターに記憶するごとに取得し、取得した複数の測定結果に含まれる複数の検出値から移動平均値を算出する機能を有している。
更に、測定情報生成部２３ｅは、複数の検出値にそれぞれ対応するカウント値の平均値を算出し、算出したカウント値の平均値と、算出した移動平均値と、最新の検出値に対応するタイムスタンプ及び環境情報とに、カウンター２５ｂの桁数の情報を対応付けて測定情報を生成する機能を有している。
【００７９】
更に、測定情報生成部２３ｅは、生成した測定情報を、データ記憶部２６の有する記憶領域である、測定情報レジスタに格納する機能を有している。なお、本実施の形態において、測定情報レジスタも個数が決まっており、測定結果レジスタと同様に古い物から順に上書きされる構成となっている。
また、測定情報生成部２３ｅは、取得した測定結果に、１つでも桁溢れ情報が含まれている場合は、移動平均値やカウント値の平均値を算出せずに、桁溢れ情報と、最新の検出値に対応するタイムスタンプ及び環境情報とを対応付けて測定情報を生成する機能を有している。
【００８０】
測定情報送信部２３ｆは、リーダ・ライタ装置１０から受信した送信指示情報に応じて、データ記憶部２６に記憶された測定情報を、リーダ・ライタ装置１０に送信する機能を有している。
測定期間修正部２３ｇは、リーダ・ライタ装置１０から受信した修正指示情報に応じて、現在設定されている物理特性測定期間を修正する機能を有している。具体的に、第１の修正指示情報の場合は、その修正指示情報で指定された期間だけ、物理特性測定期間を短くする修正を行う。また、第２の修正指示情報の場合は、その修正指示情報で指定された期間だけ、物理特性測定期間を長くする修正を行う。本実施の形態では、カウンター２８における、水晶発振回路２７の発振出力のカウント回数（発振信号のエッジのカウント回数）を、第１の修正指示情報の場合は減少させ、第２の修正指示情報の場合は増加させる処理となる。
【００８１】
次に、図８に基づき、属性特定部２３ａの詳細な機能構成について説明する。
図８に示すように、属性特定部２３ａは、切替信号出力部４０と、カウンター制御信号出力部４１と、カウント値取得部４２と、比率算出部４３と、素子値算出部４４と、素子値補正部４５と、属性選択部４６とを含んで構成される。
切替信号出力部４０は、カウンター２８からの各測定期間に応じたトリガ信号に応じて、基準素子と第２の発振回路２５ａとを接続させる接続切替信号を送信する機能と、検出素子１００と第２の発振回路２５ａとを接続させる接続切替信号を送信する機能とを有している。具体的に、カウンター制御信号出力部４１の動作と同期して動作し、現在、第２の発振回路２５ａに接続されている素子を、基準素子又は検出素子１００へと接続を切り替える信号を出力する。
【００８２】
カウンター制御信号出力部４１は、カウンター２８からの各測定期間に応じたトリガ信号に応じて、カウンター２４ｃ及びカウンター２５ｂに対して、カウント値をリセットする信号を出力する機能を有している。
カウント値取得部４２は、環境情報の検出用の検出素子２４ｂを発振用素子としたときの第１の発振回路２４ａの環境測定期間における発振回数をカウンター２４ｃでカウントした環境カウント値を取得して、換算部２３ｄに送信する機能を有している。更に、基準素子を発振用素子としたときの第２の発振回路２５ａの属性測定期間における発振回数をカウンター２５ｂでカウントした第１のカウント値を取得してデータ記憶部２６に記憶する機能を有している。更に、検出素子１００を発振用素子としたときの第２の発振回路２５ａの属性測定期間における発振回数をカウンター２５ｂでカウントした第２のカウント値を取得してデータ記憶部２６に記憶する機能を有している。
【００８３】
比率算出部４３は、データ記憶部２６に記憶された第１のカウント値と、第２のカウント値との比率を算出する機能を有している。
素子値算出部４４は、比率算出部４３で算出した比率と、データ記憶部２６に記憶された基準素子の素子値とに基づき、検出素子１００の素子値（以下、検出素子値と称す）を算出する機能を有している。
素子値補正部４５は、基準素子及び環境情報に対応する補正情報を、データ記憶部２６から取得し、取得した補正情報に基づき、検出素子値を補正する機能を有している。例えば、検出素子１００が歪みゲージであり、環境情報が温度情報であり、基準素子が抵抗素子であり、補正情報が温度係数である場合に、検出素子値（抵抗値となる）を温度係数と測定した温度とに基づき補正する処理となる。
【００８４】
属性選択部４６は、素子値補正部４５で補正した検出素子値に基づき、データ記憶部２６に記憶された複数種類の属性の中から、検出素子接続部２５ｄに接続された検出素子１００の属性を選択する機能を有している。この選択した属性が検出素子１００の属性として特定され、この情報がデータ記憶部２６の専用のレジスタに格納される。
例えば、検出素子１００が歪みゲージであれば、補正後の検出素子値（抵抗値）に最も近い値の歪みゲージの型式を選択する処理となる。例えば、歪みゲージには、１２０Ω型、３５０Ω型、１ｋΩ型などの型式があるので、補正後の検出素子値が１１９Ωであれば、属性として１２０Ω型を選択する。
【００８５】
なお、検出素子値が、想定範囲外の値となったときは、「接続不良かサポートしていないタイプの検出素子の接続が疑われる」としてリジェクトする。本実施の形態では、図示しないが、自動認識ができた場合は緑色ＬＥＤを点灯し、自動認識ができなかった場合は赤色ＬＥＤを点灯するように構成する。後者の場合は、例えば、リーダ・ライタ装置１０からの初期化指示情報などの受信に応じてエラーを返信するようにする。
【００８６】
次に、図９に基づき、リーダ・ライタ装置１０の指示情報送信部１２ａにおける指示情報の送信処理の流れを説明する。ここで、図９は、指示情報の送信処理の流れの一例を示すフローチャートである。
指示情報送信部１２ａにおいて、指示情報の送信処理が開始されると、図９に示すように、まず、ステップＳ１００に移行して、操作部１１を介した指示入力に応じて、初期化指示が入力されたか否かを判定する。そして、入力されたと判定した場合(Yes)は、ステップＳ１０２に移行し、そうでない場合(No)は、ステップＳ１０４に移行する。
【００８７】
ステップＳ１０２に移行した場合は、指示情報送信部１２ａにおいて、無線通信部１３及びコイルアンテナ１４を介して、初期化指示情報を無線タグ２０に送信する処理を実行して、ステップＳ１００に移行する。
一方、ステップＳ１０４に移行した場合は、指示情報送信部１２ａにおいて、測定指示が入力されたか否かを判定し、入力されたと判定した場合(Yes)は、ステップＳ１０６に移行し、そうでない場合(No)は、ステップＳ１１２に移行する。
【００８８】
ステップＳ１０６に移行した場合は、指示情報送信部１２ａにおいて、測定指示は、単発測定指示か否かを判定し、単発測定指示である場合(Yes)は、ステップＳ１０８に移行し、単発測定指示ではなく連続測定指示である場合(No)は、ステップＳ１１０に移行する。
なお、連続測定指示においては、連続回数を指定できるようにしてもよい。
ステップＳ１０８に移行した場合は、指示情報送信部１２ａにおいて、無線通信部１３及びコイルアンテナ１４を介して、単発測定指示情報を無線タグ２０に送信する処理を実行して、ステップＳ１００に移行する。
【００８９】
一方、ステップＳ１１０に移行した場合は、指示情報送信部１２ａにおいて、無線通信部１３及びコイルアンテナ１４を介して、連続測定指示情報を無線タグ２０に送信する処理を実行して、ステップＳ１００に移行する。
また、ステップＳ１０４において、測定指示が入力されずにステップＳ１１２に移行した場合は、指示情報送信部１２ａにおいて、物理特性測定期間の設定指示が入力されたか否かを判定する。そして、入力されたと判定した場合(Yes)は、ステップＳ１１４に移行し、そうでない場合(No)は、ステップＳ１１６に移行する。
【００９０】
ステップＳ１１４に移行した場合は、指示情報送信部１２ａにおいて、無線通信部１３及びコイルアンテナ１４を介して、指定された物理特性測定期間の情報を含む設定指示情報を無線タグ２０に送信する処理を実行して、ステップＳ１００に移行する。
一方、ステップＳ１１６に移行した場合は、指示情報送信部１２ａにおいて、物理特性測定期間の修正指示が入力されたか否かを判定し、入力されたと判定した場合(Yes)は、ステップＳ１１８に移行し、そうでない場合(No)は、ステップＳ１２０に移行する。
【００９１】
ステップＳ１１８に移行した場合は、指示情報送信部１２ａにおいて、無線通信部１３及びコイルアンテナ１４を介して、指定された修正内容の情報を含む修正指示情報を無線タグ２０に送信する処理を実行して、ステップＳ１００に移行する。
また、ステップＳ１２０に移行した場合は、指示情報送信部１２ａにおいて、送信指示情報が入力されたか否かを判定し、入力されたと判定した場合(Yes)は、ステップＳ１２２に移行し、そうでない場合(No)は、ステップＳ１００に移行する。
【００９２】
なお、初期化指示情報、単発測定指示情報、連続測定指示情報、設定指示情報及び修正指示情報は、基本は通信範囲内の全ての無線タグ２０にブロードキャストで送信するが、利用者からの指示に応じて、指定されたＩＤの無線タグ２０にユニキャスト又はマルチキャストで送信することもできる。
ステップＳ１２２に移行した場合は、指示情報送信部１２ａにおいて、無線通信部１３及びコイルアンテナ１４を介して、送信指示情報を無線タグ２０に送信する処理を実行して、ステップＳ１００に移行する。
なお、送信指示情報は、通信範囲内に存在する指定された各無線タグ２０にユニキャストで順に送信される。
【００９３】
次に、図１０に基づき、リーダ・ライタ装置１０の修正指示情報生成部１２ｃにおける修正指示情報の生成処理の流れを説明する。ここで、図１０は、修正指示情報の生成処理の流れの一例を示すフローチャートである。
修正指示情報生成部１２ｃにおいて、修正指示情報の生成処理が開始されると、図１０に示すように、まず、ステップＳ２００に移行し、受信データ処理部１２ｂによって測定情報がデータ記憶部１５に記憶されたか否かを判定する。そして、記憶されたと判定した場合(Yes)は、ステップＳ２０２に移行し、そうでない場合(No)は、記憶されるまで判定処理を繰り返す。この判定処理は、１つの測定情報に限らず、所定量の測定情報が記憶されたか否かを判定してもよい。
【００９４】
ステップＳ２０２に移行した場合は、修正指示情報生成部１２ｃにおいて、データ記憶部１５から測定情報を取得して、ステップＳ２０４に移行する。
ステップＳ２０４では、修正指示情報生成部１２ｃにおいて、測定情報を解析して、ステップＳ２０６に移行する。具体的に、解析は、測定情報に含まれる桁溢れ情報又はカウント回数に係る情報の抽出処理となる。
ステップＳ２０６では、修正指示情報生成部１２ｃにおいて、ステップＳ２０４の解析結果に基づき、測定情報が桁溢れ情報を含むか否かを判定し、含むと判定した場合(Yes)は、ステップＳ２０８に移行し、そうでない場合(No)は、ステップＳ２１２に移行する。
【００９５】
ステップＳ２０８に移行した場合は、修正指示情報生成部１２ｃにおいて、第１の修正指示情報を生成し、生成した第１の修正指示情報をデータ記憶部１５に記憶して、ステップＳ２１０に移行する。
ステップＳ２１０では、修正指示情報生成部１２ｃにおいて、桁溢れが発生していることを示すメッセージを表示部１６に表示させて、ステップＳ２００に移行する。
【００９６】
一方、ステップＳ２０６において、桁溢れ情報を含まずステップＳ２１２に移行した場合は、修正指示情報生成部１２ｃにおいて、測定時のカウント回数（又はその平均値）と閾値とを比較して、カウント回数が閾値以下か否かを判定する。そして、閾値以下と判定した場合(Yes)は、ステップＳ２１４に移行し、そうでない場合(No)は、ステップＳ２００に移行する。ここで、閾値は、測定情報に含まれるカウンター２５ｂの桁数の情報から設定される。例えば、最大桁数で表現される最大値の７０％の値を閾値に設定する。例えば、カウンター２５ｂが１６ビットのカウンターであれば、桁数５桁で最大値は「６５５３６」となる。従って、「６５５３６」の約７０％の値である「４５８７５」を閾値に設定して、この閾値とカウント値とを比較する。
【００９７】
ステップＳ２１４に移行した場合は、修正指示情報生成部１２ｃにおいて、第２の修正指示情報を生成し、生成した第２の修正指示情報をデータ記憶部１５に記憶して、ステップＳ２１６に移行する。
ステップＳ２１６では、修正指示情報生成部１２ｃにおいて、カウンター２５ｂの桁数に余裕があることを示すメッセージを表示部１６に表示させて、ステップＳ２００に移行する。
【００９８】
次に、図１１に基づき、無線タグ２０のデータ制御部２３における初期化処理の流れを説明する。ここで、図１１は、初期化処理の流れの一例を示すフローチャートである。
図１１に示すように、まず、ステップＳ３００に移行して、データ制御部２３において、無線通信部２２及びコイルアンテナ２１を介して、リーダ・ライタ装置１０からの初期化指示情報を受信したか否かを判定する。そして、受信したと判定した場合(Yes)は、ステップＳ３０２に移行し、そうでない場合(No)は、受信するまで判定処理を繰り返す。
【００９９】
ステップＳ３０２に移行した場合は、データ制御部２３の属性特定部２３ａにおいて、環境測定カウント処理を実行して、ステップＳ３０４に移行する。
環境測定カウント処理は、属性特定部２３ａのカウンター制御信号出力部４１からのカウンター制御信号によって、環境情報測定部２４のカウンター２４ｃを制御して、第１の発振回路２４ａの環境測定期間における発振回数をカウントさせる処理となる。
ステップＳ３０４では、データ制御部２３の属性特定部２３ａにおいて、ステップＳ３０２の環境測定カウント処理でカウントさせたカウント値である環境カウント値をカウンター２４ｃから取得して、ステップＳ３０６に移行する。
【０１００】
具体的に、属性特定部２３ａにおいて、カウンター２４ｃから環境測定期間における第１の発振回路２４ａの発振回数をカウントした環境カウント値を取得し、取得した環境カウント値を換算部２３ｄに出力する処理となる。
ステップＳ３０６では、データ制御部２３の換算部２３ｄにおいて、属性特定部２３ａから取得した環境カウント値を、データ記憶部２６に記憶された換算情報に基づいて環境情報へと換算して、ステップＳ３０８に移行する。
具体的に、環境カウント値を、このカウント値と環境情報との関係を示す換算情報に基づき環境情報を示す値へと換算する処理となる。例えば、検出素子２４ｂが、サーミスタであれば、サーミスタを発振用素子としたときの第１の発振回路２４ａの環境カウント値と温度との関係を示す換算情報に基づき換算を行う。
【０１０１】
ステップＳ３０８では、データ制御部２３の属性特定部２３ａにおいて、検出素子接続部２５ｄに接続された検出素子１００と同種の基準素子２５ｃに対して、第１のカウント処理を実行して、ステップＳ３１０に移行する。
第１のカウント処理は、属性特定部２３ａの切替信号出力部４０、カウンター制御信号出力部４１及びカウント値取得部４２によって、測定部２５のカウンター２５ｂ及び接続切替部２５ｇを制御して行われる処理である。具体的に、切替信号出力部４０の切替信号によって接続切替部２５ｇを制御して、検出素子１００と同種の基準素子２５ｃを第２の発振回路２５ａの発振用素子として接続する。そして、接続した基準素子を発振用素子としたときの第２の発振回路２５ａの属性測定期間における発振回数をカウンター２５ｂにカウントさせる処理となる。
【０１０２】
ステップＳ３１０では、データ制御部２３の属性特定部２３ａにおいて、ステップＳ３０８の第１のカウント処理によってカウントされたカウント値である第１のカウント値を取得して、ステップＳ３１２に移行する。
具体的に、属性特定部２３ａのカウント値取得部４２において、カウンター２５ｂから第１のカウント値を取得し、取得した第１のカウント値をデータ記憶部２６に記憶する処理となる。
【０１０３】
ステップＳ３１２では、データ制御部２３の属性特定部２３ａにおいて、第１のカウント処理が終了したか否かを判定する。そして、終了したと判定した場合(Yes)は、ステップＳ３１４に移行し、そうでない場合(No)は、ステップＳ３０８に移行する。
ステップＳ３１４に移行した場合は、データ制御部２３の属性特定部２３ａにおいて、第２のカウント処理を実行して、ステップＳ３１６に移行する。
【０１０４】
第２のカウント処理は、検出素子接続部２５ｄに接続された検出素子１００を発振用素子とした第２の発振回路２５ａの属性測定期間における発振回数をカウンター２５ｂにカウントさせる処理となる。
ステップＳ３１６では、データ制御部２３の属性特定部２３ａにおいて、ステップＳ３１４の第２のカウント処理によってカウントされたカウント値である第２のカウント値を取得して、ステップＳ３１８に移行する。
具体的に、属性特定部２３ａのカウント値取得部４２において、カウンター２５ｂから第２のカウント値を取得し、取得した第２のカウント値をデータ記憶部２６に記憶する処理となる。
【０１０５】
ステップＳ３１８では、データ制御部２３の属性特定部２３ａにおいて、データ記憶部２６に記憶された各基準素子に対応する第１のカウント値と第２のカウント値との比率を算出して、ステップＳ３２０に移行する。具体的に、属性特定部２３ａの比率算出部４３において行われる処理となる。例えば、第１のカウント値をＣｎＡとし、第２のカウント値をＣｎＢとした場合に、比率ＲＡは「ＲＡ＝ＣｎＢ／ＣｎＡ」となる。
【０１０６】
ステップＳ３２０では、データ制御部２３の属性特定部２３ａにおいて、ステップＳ３１８の算出結果と、データ記憶部２６に記憶された基準素子の素子値とに基づき、検出素子１００の検出素子値を算出して、ステップＳ３２２に移行する。具体的に、属性特定部２３ａの素子値算出部４４において行われる処理となる。例えば、基準素子の素子値に比率ＲＡを乗算した値が検出素子値となる。
【０１０７】
ステップＳ３２２では、データ制御部２３の属性特定部２３ａにおいて、データ記憶部２６に記憶された、環境情報と、基準素子に対応する補正情報とに基づき、ステップＳ３２０で算出した検出素子値を補正して、ステップＳ３２４に移行する。
具体的に、属性特定部２３ａの素子値補正部４５において行われる処理となる。
ステップＳ３２４では、データ制御部２３の属性特定部２３ａにおいて、ステップＳ３２２で補正した検出素子値に基づき、検出素子の属性を特定して、ステップＳ３００に移行する。
具体的に、属性特定部２３ａの属性選択部４６において、データ記憶部２６に記憶された検出素子１００の各型式の情報の中から、補正した検出素子値に対応する型式を選択し、選択した型式の情報を検出素子１００の属性としてデータ記憶部２６に記憶する処理となる。
【０１０８】
次に、図１２に基づき、データ制御部２３における測定処理の流れについて説明する。ここで、図１２は、測定処理の流れの一例を示すフローチャートである。
図１２に示すように、まず、ステップＳ４００に移行して、データ制御部２３において、無線通信部２２及びコイルアンテナ２１を介して、リーダ・ライタ装置１０からの測定指示情報を受信したか否かを判定する。そして、受信したと判定した場合(Yes)は、ステップＳ４０２に移行し、そうでない場合(No)は、受信するまで判定処理を繰り返す。
【０１０９】
ステップＳ４０２に移行した場合は、データ制御部２３の測定指示部２３ｃにおいて、受信した測定指示情報に含まれる測定指示が連続測定の指示か否かを判定する。そして、連続測定の指示であると判定した場合(Yes)は、ステップＳ４０４に移行し、そうでない場合(No)は、ステップＳ４２８に移行する。
ステップＳ４０４に移行した場合は、測定指示部２３ｃにおいて、環境測定カウント処理を実行して、ステップＳ４０６に移行する。
環境測定カウント処理は、測定指示部２３ｃからのカウンター制御信号によって、環境情報測定部２４のカウンター２４ｃを制御して、第１の発振回路２４ａの環境測定期間における発振回数をカウントさせる処理となる。
【０１１０】
ステップＳ４０６では、測定指示部２３ｃにおいて、ステップＳ４０４の環境測定カウント処理でカウントさせたカウント値である環境カウント値をカウンター２４ｃから取得して、ステップＳ４０８に移行する。
具体的に、測定指示部２３ｃにおいて、カウンター２４ｃから環境カウント値を取得し、取得した環境カウント値を換算部２３ｄに出力する処理となる。
ステップＳ４０８では、データ制御部２３の換算部２３ｄにおいて、測定指示部２３ｃから取得した環境カウント値を、データ記憶部２６に記憶された換算情報に基づいて環境情報へと換算して、ステップＳ４１０に移行する。
ステップＳ４１０では、測定指示部２３ｃにおいて、第３のカウント処理を実行して、ステップＳ４１２に移行する。
【０１１１】
第３のカウント処理は、測定指示部２３ｃにおいて、各種接続切替信号及びカウンター制御信号によって、属性の特定された検出素子１００を発振用素子としたときの第２の発振回路２５ａの、予め設定された物理特性測定期間における発振回数をカウンター２５ｂにカウントさせる処理となる。具体的に、まず、属性が特定されているので、抵抗切替信号を抵抗切替部２５ｅに供給して、補正抵抗素子群２５ｆのうち、特定した属性に最適な補正抵抗が直列接続されるように接続を切り替える。次に、カウンター制御信号によって、カウンター２５ｂを制御して、設定された物理特性測定期間における第２の発振回路２５ａの発振回数をカウントさせる。このとき、第２の発振回路２５ａに検出素子１００が接続されていない場合は、接続切替信号を接続切替部２５ｇに供給して、検出素子１００を接続する。
【０１１２】
ステップＳ４１２では、測定指示部２３ｃにおいて、ステップＳ４１２でカウントしたカウント値である第３のカウント値をカウンター２５ｂから取得し、取得した第３のカウント値を換算部２３ｄに出力して、ステップＳ４１４に移行する。
ステップＳ４１４では、換算部２３ｄにおいて、時刻測定部２９から時刻情報を取得して、ステップＳ４１６に移行する。
【０１１３】
ステップＳ４１６では、換算部２３ｄにおいて、測定指示部２３ｃから取得した第３のカウント値を、データ記憶部２６に記憶された、特定された属性及び測定された環境情報に対応する換算情報に基づき検出値に換算して、ステップＳ４１８に移行する。
ステップＳ４１８では、ステップＳ４１６で換算された検出値と、ステップＳ４０８で換算した環境情報と、ステップＳ４１４で取得した時刻情報と、検出値に対応する第３のカウント値とを測定結果として、データ記憶部２６の測定結果レジスタに記憶して、ステップＳ４２０に移行する。
【０１１４】
ステップＳ４２０では、データ制御部２３の測定情報生成部２３ｅにおいて、測定結果はｍ（ｍは、測定結果レジスタの最大数）個あるか否かを判定する。そして、ｍ個あると判定した場合(Yes)は、ステップＳ４２２に移行し、そうでない場合(No)は、ステップＳ４０４に移行する。
ステップＳ４２２に移行した場合は、測定情報生成部２３ｅにおいて、データ記憶部２６に記憶されたｍ個の測定結果に基づき、検出値の移動平均値を算出して、ステップＳ４２４に移行する。
【０１１５】
ステップＳ４２４では、測定情報生成部２３ｅにおいて、ｍ個の測定結果に含まれるｍ個のカウント値の平均値を算出する。更に、このカウント値の平均値と、ステップＳ４２２で算出した移動平均値と、ｍ個の測定結果のうち最新の時刻情報及び環境情報とを対応付けて測定情報を生成して、ステップＳ４２６に移行する。
ステップＳ４２６では、測定情報生成部２３ｅにおいて、ステップＳ４２４で生成した測定情報を、データ記憶部２６における測定情報レジスタに記憶して、ステップＳ４０４に移行する。
【０１１６】
一方、ステップＳ４０２において、連続測定の指示ではなくて、ステップＳ４２８に移行した場合は、測定指示部２３ｃにおいて、環境測定カウント処理を実行して、ステップＳ４３０に移行する。
ステップＳ４３０では、測定指示部２３ｃにおいて、ステップＳ４２８の環境測定カウント処理でカウントさせたカウント値である環境カウント値をカウンター２４ｃから取得して、ステップＳ４３２に移行する。
ステップＳ４３２では、換算部２３ｄにおいて、測定指示部２３ｃから取得した環境カウント値を、データ記憶部２６に記憶された換算情報に基づいて環境情報へと換算して、ステップＳ４３４に移行する。
【０１１７】
ステップＳ４３４では、測定指示部２３ｃにおいて、第３のカウント処理を実行して、ステップＳ４３６に移行する。
ステップＳ４３６では、測定指示部２３ｃにおいて、ステップＳ４３４でカウントしたカウント値である第３のカウント値をカウンター２５ｂから取得し、取得した第３のカウント値を換算部２３ｄに出力して、ステップＳ４３８に移行する。
ステップＳ４３８では、換算部２３ｄにおいて、時刻測定部２９から時刻情報を取得して、ステップＳ４４０に移行する。
【０１１８】
ステップＳ４４０では、換算部２３ｄにおいて、測定指示部２３ｃから取得した第３のカウント値を、データ記憶部２６に記憶された、特定された属性及び測定された環境情報に対応する換算情報に基づき検出値に換算する。そして、換算して得た検出値と、ステップＳ４３６で取得した第３のカウント値と、ステップＳ４３２で換算して得た環境情報と、ステップＳ４３８で取得した時刻情報とを測定結果として測定情報生成部２３ｅに出力して、ステップＳ４４２に移行する。なお、測定結果は、一端、データ記憶部２６の測定結果レジスタに記憶するようにしてもよい。
【０１１９】
また、測定指示部２３ｃにおいて、カウンター２５ｂから桁溢れ信号を受信した場合は、換算部２３ｄは、換算処理を実行せずに、桁溢れ情報、環境情報、及び時刻情報を測定結果として測定情報生成部２３ｅに出力する。
ステップＳ４４２では、測定情報生成部２３ｅにおいて、換算部２３ｄから取得した、検出値、第３のカウント値、環境情報、及び時刻情報に、タグＩＤと、カウンター２５ｂの桁数の情報とを対応付けてなる測定情報を生成して、ステップＳ４４４に移行する。
【０１２０】
また、桁溢れが発生している場合は、ステップＳ４４２では、測定情報生成部２３ｅにおいて、換算部２３ｄから取得した、桁溢れ情報、環境情報、及び時刻情報に、タグＩＤと、カウンター２５ｂの桁数の情報とを対応付けてなる測定情報を生成して、ステップＳ４４４に移行する。
ステップＳ４４４では、測定情報生成部２３ｅにおいて、ステップＳ４４２で生成した測定情報を、データ記憶部２６の測定情報レジスタに記憶して、ステップＳ４００に移行する。
【０１２１】
次に、図１３に基づき、データ制御部２３における測定情報の送信処理の流れを説明する。ここで、図１３は、測定処理の流れの一例を示すフローチャートである。
図１３に示すように、まず、ステップＳ５００に移行して、データ制御部２３において、無線通信部２２及びコイルアンテナ２１を介して、リーダ・ライタ装置１０からの送信指示情報を受信したか否かを判定する。そして、受信したと判定した場合(Yes)は、ステップＳ５０２に移行し、そうでない場合(No)は、受信するまで判定処理を繰り返す。
【０１２２】
ステップＳ５０２に移行した場合は、データ制御部２３の測定情報送信部２３ｆにおいて、送信指示情報に含まれるタグＩＤと、データ記憶部２６に記憶されたタグＩＤとを照合する認証処理を実行して、ステップＳ５０４に移行する。
ステップＳ５０４では、測定情報送信部２３ｆにおいて、ステップＳ５０２の認証処理において、送信指示情報に含まれるタグＩＤが認証されたか否かを判定する。そして、認証されたと判定した場合(Yes)は、ステップＳ５０６に移行し、そうでない場合(No)は、ステップＳ５００に移行する。
【０１２３】
ステップＳ５０６に移行した場合は、測定情報送信部２３ｆにおいて、送信指示情報で指定された測定情報を、データ記憶部２６から取得して、ステップＳ５０８に移行する。
ステップＳ５０８では、測定情報送信部２３ｆにおいて、ステップＳ５０６で取得した測定情報に、返信先のリーダ・ライタ装置１０のＩＤ、タグＩＤ、カウンター２５ｂの桁数の情報等を付加した測定データ返信パケットを生成する。そして、生成した測定データ返信パケットを、無線通信部２２及びコイルアンテナ２１を介して、リーダ・ライタ装置１０に送信させる処理を実行して、ステップＳ５００に移行する。
【０１２４】
次に、図１４に基づき、データ制御部２３における測定期間修正処理の流れを説明する。ここで、図１４は、測定期間修正処理の流れの一例を示すフローチャートである。
図１４に示すように、まず、ステップＳ６００に移行して、データ制御部２３において、無線通信部２２及びコイルアンテナ２１を介して、リーダ・ライタ装置１０からの修正指示情報を受信したか否かを判定する。そして、受信したと判定した場合(Yes)は、ステップＳ６０２に移行し、そうでない場合(No)は、受信するまで判定処理を繰り返す。
【０１２５】
ステップＳ６０２に移行した場合は、データ制御部２３の測定期間修正部２３ｇにおいて、受信した修正指示情報に含まれる修正指示は第１の修正指示か否かを判定する。そして、第１の修正指示であると判定した場合(Yes)は、ステップＳ６０４に移行し、そうでない場合(No)は、ステップＳ６０６に移行する。
ステップＳ６０４に移行した場合は、測定期間修正部２３ｇにおいて、現在設定されている物理特性測定期間を、第１の修正指示で指定された期間だけ減少する修正を行って、ステップＳ６００に移行する。
【０１２６】
具体的に、第１の修正指示で指定される期間は、予めリーダ・ライタ装置１０で設定されており、例えば、１００カウント分の期間だけ物理特性測定期間を減少させる修正を行わせる。
一方、ステップＳ６０６に移行した場合は、測定期間修正部２３ｇにおいて、受信した修正指示情報に含まれる修正指示は第２の修正指示か否かを判定する。そして、第２の修正指示であると判定した場合(Yes)は、ステップＳ６０８に移行し、そうでない場合(No)は、ステップＳ６００に移行する。本実施の形態では、修正指示の内容が第１の修正指示及び第２の修正指示の２種類しかないため、いずれかで無い場合は、エラーなどの応答をリーダ・ライタ装置１０に返す。
【０１２７】
ステップＳ６０８に移行した場合は、測定期間修正部２３ｇにおいて、現在設定されている物理特性測定期間を、第２の修正指示で指定された期間だけ増加する修正を行って、ステップＳ６００に移行する。
具体的に、第１の修正指示と同様に、第２の修正指示で指定される期間は、予めリーダ・ライタ装置１０で設定されており、例えば、１００カウント分の期間だけ物理特性測定期間を増加させる修正を行わせる。
【０１２８】
次に、図１５〜図１９に基づき、本実施の形態の動作を説明する。
ここで、図１５は、単発測定時の各装置の動作シーケンスの一例を示す図である。また、図１６（ａ）は、環境情報として温度を測定する場合の換算情報の一例を示す図であり、（ｂ）は、換算情報の近似方法の一例を示す図である。また、図１７は、検出素子１００として、応力を測定する歪みゲージを接続した場合の換算情報の一例を示す図である。また、図１８は、連続測定時の各装置の動作シーケンスの一例を示す図である。また、図１９は、連続測定時の測定結果及び測定情報の記憶手順の一例を示す図である。
【０１２９】
以下の説明において、検出素子１００として歪みゲージを接続して、測定対象物の物理特性として応力を測定することとし、検出素子２４ｂとしてサーミスタを接続して、環境情報として温度を測定することとする。また、測定対象物は、コンクリートの柱等の構造物の鉄筋とし、無線タグ２０に接続された歪みゲージの検出部を鉄筋に貼り付けるなどして、鉄筋の応力を測定することとする。
【０１３０】
最初に、単発測定時の動作について説明する。
まず、利用者は、第１のタグ２０＿１〜第ｎのタグ２０＿ｎの検出素子接続部２５ｄに、鉄筋の応力の検出に適した歪みゲージを接続する。歪みゲージを接続したら、次に、無線タグ２０を測定対象物に配設する前に、リーダ・ライタ装置１０の操作部１１を操作して、初期化指示を入力する。初期化指示が入力されると（ステップＳ１００の「Ｙｅｓ」の分岐）、指示情報送信部１２ａは、初期化指示情報をブロードキャストで第１のタグ２０＿１〜第ｎのタグ２０＿ｎに対して送信する（ステップＳ１０２）。
【０１３１】
これにより、図１５に示すように、リーダ・ライタ装置１０から初期化指示情報（図１５中のキャリブレーションパケット）がブロードキャストで第１のタグ２０＿１〜第ｎのタグ２０＿ｎに送信される。
無線タグ２０は、リーダ・ライタ装置１０からの初期化指示情報を受信すると（ステップＳ３００の「Ｙｅｓ」の分岐）、データ制御部２３の属性特定部２３ａによって、環境カウント処理を実行する（ステップＳ３０２）。
【０１３２】
具体的に、環境情報測定部２４のカウンター２４ｃの動作を制御して、カウンター２４ｃに、検出素子２４ｂとしてサーミスタ（抵抗素子）を発振用素子とした第１の発振回路２４ａの環境測定時間の発振回数をカウントさせる。
そして、属性特定部２３ａにおいて、カウンター２４ｃから環境カウント値を取得し、取得した環境カウント値を換算部２３ｄに出力する（ステップＳ３０４）。
【０１３３】
換算部２３ｄは、データ記憶部２６から、環境カウント値と温度との関係が、例えば、図１６（ａ）に示す関係となる換算情報を取得し、この換算情報に基づき、環境カウント値を温度に換算する（ステップＳ３０６）。
具体的に、属性特定部２３ａから取得した環境カウント値が、図１６（ａ）の黒丸で示す温度（離散値）に対してどの位置（どの値と値の間）になるかを判断する。例えば、環境カウント値に対応する温度が、図１６（ａ）中のいずれかの黒丸と同じ位置にある場合は、環境カウント値を該当する黒丸の温度に換算する。一方、図１６（ａ）中の白丸で囲まれた範囲内にある場合は、図１６（ｂ）に示すように、黒丸の２点間にある環境カウント値に対応する温度を線形近似によって算出する。
【０１３４】
つまり、黒丸で示される温度ｔ１と温度ｔ２の間に、環境カウント値ｃｎｔに対応する温度ｔがある場合に、温度ｔは、下式（１）から求めることができる。
ｔ＝Δｔ＋ｔ１＝（ｃｎｔ−ｃｎｔ１）／（ｃｎｔ２−ｃｎｔ１）×Ｔspan＋ｔ１
・・・（１）
上式（１）において、ｃｎｔ１及びｃｎｔ２は、温度ｔ１及びｔ２の環境カウント値であり、Δｔは、温度ｔと温度ｔ１との差であり、Ｔspanは、温度ｔ１から温度ｔ２までの距離である。
【０１３５】
上記の方法で環境カウント値を温度に換算すると、次に、データ制御部２３の属性特定部２３ａによって、第１のカウント処理を実行する（ステップＳ３０８）。
ここでは、検出素子１００が歪みゲージとなるので、基準素子は基準抵抗素子となる。  属性特定部２３ａの切替信号出力部４０は、接続切替信号を接続切替部２５ｇに出力して、基準抵抗素子を第２の発振回路２５ａの発振用素子として接続する。次に、属性特定部２３ａのカウンター制御信号出力部４１は、カウンター２８からのトリガ信号に応じて、カウンター２５ｂに、カウンター２５ｂのカウント値をクリアする制御信号を出力する。これによって、カウンター２５ｂのカウント値を初期値に戻し、第２の発振回路２５ａの発振回数のカウントを開始させる。そして、属性測定期間の終了タイミング（トリガ）に合わせて、カウント値取得部４２によって、カウンター２５ｂのカウント値（第１のカウント値）を取得する（ステップＳ３１０）。属性特定部２３ａは、取得した第１のカウント値をデータ記憶部２６に記憶する。
【０１３６】
第１のカウント処理が終了すると（ステップＳ３１２の「Ｙｅｓ」の分岐）、次に、データ制御部２３の属性特定部２３ａによって、第２のカウント処理を実行する（ステップＳ３１４）。
切替信号出力部４０は、まず、抵抗切替信号を抵抗切替部２５ｅに出力して、補正抵抗素子群２５ｆの中から、ここでは中間の抵抗値の補正抵抗を選択して、選択した補正抵抗を検出素子接続部２５ｄと接続切替部２５ｇとの間に接続する。次に、切替信号出力部４０は、接続切替信号を接続切替部２５ｇに出力して、検出素子１００を第２の発振回路２５ａの発振用素子として接続する。次に、カウンター制御信号出力部４１は、カウンター２８からのトリガ信号に応じて、カウンター２５ｂに、カウンター２５ｂのカウント値をクリアする制御信号を出力する。これによって、カウンター２５ｂのカウント値を初期値に戻し、第２の発振回路２５ａの発振回数のカウントを開始させる。そして、属性測定期間の終了タイミングに合わせて、カウント値取得部４２によって、カウンター２５ｂのカウント値（第２のカウント値）を取得する（ステップＳ３１６）。属性特定部２３ａは、取得した第２のカウント値をデータ記憶部２６に記憶する。
【０１３７】
次に、属性特定部２３ａは、比率算出部４３において、データ記憶部２６から第１のカウント値及び第２のカウント値を取得し、取得した第１のカウント値と第２のカウント値の比率を算出する（ステップＳ３１８）。例えば、第１のカウント値が「３０００」で、第２のカウント回数が「３６００」であったとする。
この場合は、第２のカウント値「３６００」を第１のカウント値「３０００」で割った値「１．２」を、比率ＲＡとして算出する。
次に、属性特定部２３ａの素子値算出部４４は、上記算出した比率「１．２」と、基準抵抗素子の抵抗値とに基づき、歪みゲージの検出素子値を算出する（ステップＳ３２０）。例えば、基準抵抗素子の抵抗値が３００Ωである場合に、検出素子値は、「３００×１．２＝３６０Ω」と算出される。
【０１３８】
次に、属性特定部２３ａの素子値補正部４５は、基準抵抗素子に対応する補正情報として、温度係数情報をデータ記憶部２６から取得し、最初に測定した温度と、取得した温度係数とに基づき、検出素子値「３６０Ω」を補正する（ステップＳ３２２）。ここで、温度係数は、基準抵抗素子の種類によって変わるため、できるだけ温度変化による抵抗変化の少ないものを選択する。例えば、抵抗素子には、カーボン抵抗、金属被膜抵抗、金属箔抵抗などの種類があり、この順番で温度変化に対する抵抗変化が小さくなっていく。この補正によって、抵抗値が３５５Ωに補正されたとする。
【０１３９】
次に、属性特定部２３ａの属性選択部４６は、抵抗値３５５Ωと、データ記憶部２６に記憶された歪みゲージの型式の情報とを比較し、いずれかの型式を検出素子１００として接続された歪みゲージの属性として選択する（ステップＳ３２４）。型式の情報としては、例えば、１２０Ω型、３５０Ω型、１ｋΩ型の情報があるとする。ここでは、抵抗値は３５５Ωであるので、最も近い値の３５０Ω型を選択する。そして、属性選択部４６は、選択した３５０Ω型を接続された歪みゲージの型式（属性）としてデータ記憶部２６に記憶する。
【０１４０】
このようにして、無線タグ２０の初期化処理が完了すると、利用者は、初期化された無線タグ２０を、測定対象物である鉄筋にその応力を検出可能な状態で配設する。なお、測定を開始する前に、無線タグ２０に所望の物理特性測定期間を設定したい場合は、利用者は、操作部１１を操作して、物理特性測定時間の設定指示を入力することになる。設定指示が入力されると（ステップＳ１１２の「Ｙｅｓ」の分岐）、指定された物理特性測定時間の情報を含む設定指示情報がブロードキャストで第１のタグ２０＿１〜第ｎのタグ２０＿ｎに対して送信する（ステップＳ１１４）。
【０１４１】
これによって、無線タグ２０は、データ制御部２３の測定期間設定部２３ｂにおいて、現在設定されている物理特性測定期間を、設定指示情報に含まれる測定期間へと変更する。なお、物理特性測定期間の設定は必須ではなく、無線タグ２０に予め設定された物理特性測定期間で十分な場合は省略してもよい。また、所望の物理特性測定期間を設定する場合に、リーダ・ライタ装置１０で所望の値を入力する構成としてもよいし、無線タグ２０側に用意された複数の物理特性測定期間のうち任意のものを指定する構成としてもよい。
【０１４２】
測定の準備が整うと、利用者は、リーダ・ライタ装置１０の操作部１１を操作して、ここでは単発測定の測定指示を入力する。測定指示が入力されると（ステップＳ１０４の「Ｙｅｓ」の分岐）、指示情報送信部１２ａは、単発測定の測定指示であるので（ステップＳ１０６の「Ｙｅｓ」の分岐）、単発測定指示情報をブロードキャストで第１のタグ２０＿１〜第ｎのタグ２０＿ｎに対して送信する（ステップＳ１０８）。
【０１４３】
これにより、図１５に示すように、リーダ・ライタ装置１０から単発測定指示情報（図中の測定実施パケット）がブロードキャストで第１のタグ２０＿１〜第ｎのタグ２０＿ｎに送信される。
無線タグ２０は、リーダ・ライタ装置１０からの単発測定指示情報を受信すると（ステップＳ４００の「Ｙｅｓ」の分岐及びステップＳ４０２の「Ｎｏ」の分岐）、データ制御部２３の測定指示部２３ｃによって、環境カウント処理を実行する（ステップＳ４２８）。
【０１４４】
この環境カウント処理は、測定指示部２３ｃが行うだけで、上記の属性特定部２３ａによる環境カウント処理と同様の処理となる。
そして、測定指示部２３ｃにおいて、カウンター２４ｃから環境カウント値を取得し、取得した環境カウント値を換算部２３ｄに出力する（ステップＳ４３０）。
換算部２３ｄは、データ記憶部２６から、環境カウント値と温度との関係が、図１６（ａ）に示す関係となる換算情報を取得し、この換算情報に基づき、環境カウント値を温度に換算する（ステップＳ４３２）。
【０１４５】
次に、測定指示部２３ｃは、第３のカウント処理を実行する（ステップＳ４３４）。
具体的に、測定指示部２３ｃは、まず、抵抗切替信号を抵抗切替部２５ｅに出力して、抵抗切替部２５ｅに、補正抵抗素子群２５ｆの中から上記特定した３５０Ω型の歪みゲージに対して最適な抵抗値の補正抵抗を選択させる。これにより、選択された補正抵抗が検出素子接続部２５ｄと接続切替部２５ｇとの間に接続される。具体的に、補正抵抗素子群２５ｆの中から、３５０Ω型の歪みゲージ（検出素子１００）を発振用素子とした第２の発振回路２５ａが正常に発振し且つ歪みゲージに大電流が流れない範囲内で、歪みゲージの抵抗値の変化と、第２の発振回路２５ａの発振周波数との関係が最も線形となる抵抗値の補正抵抗が接続される。
【０１４６】
次に、接続切替信号を接続切替部２５ｇに出力して、接続切替部２５ｇに、検出素子１００（歪みゲージ）を第２の発振回路２５ａの発振用素子として接続させる。次に、カウンター２５ｂに、予め設定された物理特性測定期間の開始タイミング（トリガ）に合わせて、カウンター２５ｂのカウント値をクリアする制御信号を出力する。これによって、カウンター２５ｂのカウント値を初期値に戻し、第２の発振回路２５ａの発振回数のカウントを開始させる。そして、予め設定された物理特性測定期間の終了タイミング（トリガ）に合わせて、測定指示部２３ｃによって、カウンター２５ｂのカウント値（第３のカウント値）を取得する（ステップＳ４３６）。測定指示部２３ｃは、取得した第３のカウント値を換算部２３ｄに出力する。
【０１４７】
換算部２３ｄは、測定指示部２３ｃから第３のカウント値を取得すると、時刻測定部２９から時刻情報（タイムスタンプ）を取得する（ステップＳ４３８）。次に、データ記憶部２６から、３５０Ω型に対応する、第３のカウント値と応力値との関係が、図１７に示す関係となる換算情報を取得し、この換算情報に基づき、第３のカウント値を応力値に換算する（ステップＳ４４０）。なお、換算情報は、歪みゲージの属性（型式）や、環境の温度、第３のカウント値の測定時間などに応じて、それぞれ異なるテーブルデータとしてデータ記憶部２６に記憶されている。従って、特定した検出素子（ここでは歪みゲージ）の属性、測定した環境の温度、設定された物理特性測定期間などの既知の情報から毎回適切なデータを選択して用いるようになっている。つまり、本実施の形態において、換算情報は、第３のカウント値に対応する、型式に応じた環境の状態による検出値の変化に対して適切な補正が施されたデータのテーブルとなる。
【０１４８】
また、換算方法は、上記した環境カウント値を温度に換算する場合と同様で、図１７中の黒丸に該当するカウント値であれば、第３のカウント値を既知である黒丸の応力値に換算する。一方、応力値ｓ１、ｓ２に対応する２つの黒丸の間に、測定した第３のカウント値に対応する応力値がある場合は、下式（２）に従って、線形近似によって応力値を求める。図１７の例は、特定の型式（３５０Ω型）の特定の温度又は温度範囲に対応する換算情報となる。実際は、型式且つ温度ごとに異なる換算情報がデータ記憶部２６に記憶されている。
ｓ＝Δｓ＋ｓ１＝（ｃｎｔ−ｃｎｔ１）／（ｃｎｔ２−ｃｎｔ１）×Ｓspan＋ｓ１
・・・（２）
上式（２）において、ｃｎｔ１及びｃｎｔ２は、応力値ｓ１及びｓ２の第３のカウント値であり、Δｓは、応力値ｓと応力値ｓ１との差であり、Ｓspanは、応力値ｓ１と応力値ｓ２間の距離である。
【０１４９】
このようにして、第３のカウント値を応力値へと換算すると、換算部２３ｄは、換算して得た応力値と、測定時の温度と、第３のカウント回数と、タイムスタンプとを測定結果として、測定情報生成部２３ｅに出力する。
測定情報生成部２３ｅは、換算部２３ｄから、応力値、温度、第３のカウント回数及びタイムスタンプを取得すると、これらに、タグＩＤ及びカウンター２５ｂの桁数の情報などを加えてなる測定情報を生成する（ステップＳ４４２）。そして、生成した測定情報を、データ記憶部２６の測定情報レジスタに記憶する（ステップＳ４４４）。
【０１５０】
利用者は、測定を実施後に測定情報を得たい場合は、リーダ・ライタ装置１０の操作部１１を操作して、送信指示を入力する。送信指示が入力されると（ステップＳ１２０の「Ｙｅｓ」の分岐）、指示情報送信部１２ａは、送信指示情報をユニキャストで第１のタグ２０＿１〜第ｎのタグ２０＿ｎに対して順番に送信する（ステップＳ１２２）。
これにより、図１５に示すように、リーダ・ライタ装置１０から送信指示情報（図１５中のデータ送信要求パケット）がユニキャストで第１のタグ２０＿１〜第ｎのタグ２０＿ｎに順番に送信される。具体的に、特定の順番で、各順に無線タグ２０から測定情報（図１５中の測定データ返信パケット）を受信するごとに次順の無線タグ２０に送信指示情報を送信する。
【０１５１】
無線タグ２０は、リーダ・ライタ装置１０からの送信指示情報を受信すると（ステップＳ５００の「Ｙｅｓ」の分岐）、データ制御部２３の測定情報送信部２３ｆにおいて、まず、認証処理を実行する（ステップＳ５０２）。
認証処理は、送信指示情報に含まれるタグＩＤと、受信先の無線タグ２０のタグＩＤとを照合して、両者が一致するか否かを判定する処理となる。両者が一致した場合は、認証されたとし（ステップＳ５０４の「Ｙｅｓ」の分岐）、一致しない場合は、認証されなかったとする（ステップＳ５０４の「Ｎｏ」の分岐）。
【０１５２】
ここでは、認証されたとして、次に、測定情報送信部２３ｆは、送信指示情報によって指定された測定情報を、データ記憶部２６の測定情報レジスタから取得する（ステップＳ５０６）。そして、取得した測定情報に、送信先のリーダ・ライタ装置のＩＤなどを付加して、測定データ返信パケットを生成し、生成した測定データ返信パケットを、無線通信部２２及びコイルアンテナ２１を介して、リーダ・ライタ装置１０に送信する（ステップＳ５０８）。
【０１５３】
これにより、図１５に示すように、無線タグ２０から測定データ返信パケットがユニキャストでリーダ・ライタ装置１０に送信される。
リーダ・ライタ装置１０は、無線タグ２０からの測定データ返信パケットを、コイルアンテナ１４及び無線通信部１３を介して受信すると、データ制御部１２の受信データ処理部１２ｂにおいて、受信した測定データ返信パケットから測定情報を抽出する。そして、抽出した、測定情報を、タグＩＤに対応する無線タグ２０が配設された測定対象物の識別情報に対応付けて、データ記憶部１５に記憶する。
【０１５４】
データ記憶部１５に測定情報が記憶されると（ステップＳ２００の「Ｙｅｓ」の分岐）、データ制御部１２の修正指示情報生成部１２ｃは、記憶された測定情報をデータ記憶部１５から取得し（ステップＳ２０２）、取得した測定情報を解析する（ステップＳ２０４）。
具体的に、測定情報から、第３のカウント値、カウンター２５ｂの桁数の情報及び桁溢れ情報を抽出する。解析結果に基づき、測定情報が桁溢れ情報を含むか否かを判定する。
【０１５５】
ここで、桁溢れ情報を含む場合（ステップＳ２０６の「Ｙｅｓ」の分岐）に、修正指示情報生成部１２ｃは、カウンター２５ｂの桁溢れを解消するために、例えば、物理特性測定期間を１００カウント分減少する修正指示内容を含む第１の修正指示情報を生成し、生成した第１の修正指示情報をデータ記憶部１５に記憶する（ステップＳ２０８）。更に、修正指示情報生成部１２ｃは、桁溢れが発生していることを示すメッセージを表示部１６に表示させる処理を行って、利用者に、桁溢れが発生していることを通知する（ステップＳ２１０）。
【０１５６】
このとき、桁溢れ情報を含む測定情報を返信してきたタグのＩＤや個数等も通知するようにしてもよい。
この通知を見た利用者は、修正の意志がある場合に、リーダ・ライタ装置１０の操作部１１を操作して、物理特性測定期間の修正指示を入力する。例えば、桁溢れを起こしているタグが少ない（例えば１つしか無い）場合などは、修正指示を送信しないことも可能である。
【０１５７】
修正指示が入力されると（ステップＳ１１６の「Ｙｅｓ」の分岐）、指示情報送信部１２ａは、データ記憶部２６に記憶された第１の修正指示情報を取得し、取得した第１の修正指示情報をブロードキャストで第１のタグ２０＿１〜第ｎのタグ２０＿ｎに対して送信する（ステップＳ１２２）。
無線タグ２０は、第１の修正指示情報を受信すると（ステップＳ６００及びＳ６０２の「Ｙｅｓ」の分岐）、第１の修正指示情報で指定された期間（１００カウント分）だけ、現在設定されている物理特性測定期間を減少する修正を行う（ステップＳ６０４）。
【０１５８】
一方、測定情報が桁溢れ情報を含まない場合（ステップＳ２０６の「Ｎｏ」の分岐）は、修正指示情報生成部１２ｃは、第３のカウント値と、桁数の情報に基づき設定した閾値とを比較し、第３のカウント値が閾値以下か否かを判定する。例えば、カウンター２５ｂが１６ビットのカウンターであれば、その最大カウント値の７０％の値である「６５５３６×０．７＝４５８７５」を閾値に設定し、この閾値と、第３のカウント値とを比較する。これにより、閾値以下であると判定した場合は、測定した第３のカウント値が、カウンター２５ｂの最大カウント値に対して低い値となっているので、カウント値に余裕があると判定する。この場合は、測定精度をより向上させるために、例えば、物理特性測定期間を１００カウント分増加する修正指示内容を含む第２の修正指示情報を生成し、生成した第２の修正指示情報をデータ記憶部１５に記憶する（ステップＳ２１４）。更に、修正指示情報生成部１２ｃは、桁溢れが発生していることを示すメッセージを表示部１６に表示させる処理を行って、利用者に、カウント値に余裕があることを通知する（ステップＳ２１６）。
【０１５９】
このとき、カウント値に余裕があると判定されたタグのＩＤや個数等も通知するようにしてもよい。
この通知を見た利用者は、修正の意志がある場合に、リーダ・ライタ装置１０の操作部１１を操作して、物理特性測定期間の修正指示を入力する。例えば、カウント値に余裕があると判定したタグが少ない（例えば１つしか無い）場合などは、修正指示を送信しないことも可能である。
【０１６０】
修正指示が入力されると（ステップＳ１１６の「Ｙｅｓ」の分岐）、指示情報送信部１２ａは、データ記憶部２６に記憶された第２の修正指示情報を取得し、取得した第２の修正指示情報をブロードキャストで第１のタグ２０＿１〜第ｎのタグ２０＿ｎに対して送信する（ステップＳ１２２）。
無線タグ２０は、第２の修正指示情報を受信すると（ステップＳ６００の「Ｙｅｓ」の分岐及びＳ６０２の「Ｎｏ」の分岐）、第２の修正指示情報で指定された期間（１００カウント分）だけ、現在設定されている物理特性測定期間を増加する修正を行う（ステップＳ６０８）。
【０１６１】
次に、連続測定時の動作について説明する。
なお、初期化処理、物理特性測定期間の設定処理については、単発測定時と同様となるので、測定処理の動作から説明する。また、検出素子１００として接続された歪みゲージの属性は、単発測定時と同様に３５０Ω型であるとする。
測定の準備が整うと、利用者は、リーダ・ライタ装置１０の操作部１１を操作して、ここでは連続測定の測定指示を入力する。測定指示が入力されると（ステップＳ１０４の「Ｙｅｓ」の分岐）、指示情報送信部１２ａは、連続測定の測定指示であるので（ステップＳ１０６の「Ｎｏ」の分岐）、連続測定指示情報をブロードキャストで第１のタグ２０＿１〜第ｎのタグ２０＿ｎに対して送信する（ステップＳ１１０）。
【０１６２】
これにより、図１８に示すように、リーダ・ライタ装置１０から連続測定指示情報（図中の測定開始パケット）がブロードキャストで第１のタグ２０＿１〜第ｎのタグ２０＿ｎに送信される。
無線タグ２０は、リーダ・ライタ装置１０からの連続測定指示情報を受信すると（ステップＳ４００の「Ｙｅｓ」の分岐及びステップＳ４０２の「Ｙｅｓ」の分岐）、データ制御部２３の測定指示部２３ｃによって、環境カウント処理を実行する（ステップＳ４０６）。
【０１６３】
この環境カウント処理は、上記単発測定時の環境カウント処理と同様の処理となる。
そして、測定指示部２３ｃにおいて、カウンター２４ｃから環境カウント値を取得し、取得した環境カウント値を換算部２３ｄに出力する（ステップＳ４０６）。
換算部２３ｄは、データ記憶部２６から、環境カウント値と温度との関係が、図１６（ａ）に示す関係となる換算情報を取得し、この換算情報に基づき、環境カウント値を温度に換算する（ステップＳ４０８）。この換算方法は、上記単発測定時の換算方法と同様となる。
【０１６４】
次に、測定指示部２３ｃは、第３のカウント処理を実行する（ステップＳ４１０）。
そして、カウンター２５ｂのカウント値がクリアされカウントが開始されると、物理特性測定期間の終了タイミングに合わせて、測定指示部２３ｃによって、カウンター２５ｂのカウント値（第３のカウント値）を取得する（ステップＳ４１２）。測定指示部２３ｃは、取得した第３のカウント値を換算部２３ｄに出力する。
【０１６５】
換算部２３ｄは、測定指示部２３ｃから第３のカウント値を取得すると、時刻測定部２９から時刻情報（タイムスタンプ）を取得する（ステップＳ４１４）。次に、データ記憶部２６から、３５０Ω型に対応する、第３のカウント値と応力値との関係が、図１７に示す関係となる換算情報を取得し、この換算情報に基づき、第３のカウント値を応力値に換算する（ステップＳ４１６）。
【０１６６】
換算部２３ｄは、図１９に示すように、換算して得た応力値と、測定時の温度と、第３のカウント回数と、タイムスタンプとを測定結果として、データ記憶部２６の測定結果レジスタ１に記憶する。ここでは、測定結果レジスタの個数と測定情報レジスタの個数とが共に３個であるとする。
以上の測定処理が、図１８における、各無線タグの測定開始後の１つめの矢印の測定処理（１回の測定処理）となる。
【０１６７】
測定情報生成部２３ｅは、測定処理が終了すると、測定結果レジスタ１〜３の全てに測定結果が記憶されているか否かを判定する。ここでは、測定結果レジスタ１にしか記憶されていないので（ステップＳ４２０の「Ｎｏ」の分岐）、引き続き、環境カウント処理から測定処理を実行する（ステップＳ４０４〜Ｓ４１６）。
これにより、図１８に示す、測定開始後の２つめの矢印の測定処理が実行される。
【０１６８】
換算部２３ｄは、図１９に示すように、２回目の測定処理において、換算して得た応力値と、測定時の温度と、第３のカウント回数と、タイムスタンプとを測定結果として、データ記憶部２６の測定結果レジスタ２に記憶する。
測定情報生成部２３ｅは、測定処理が終了すると、測定結果レジスタ１〜３の全てに測定結果が記憶されているか否かを判定する。ここでは、測定結果レジスタ１〜２にしか記憶されていないので（ステップＳ４２０の「Ｎｏ」の分岐）、引き続き、環境カウント処理から測定処理を実行する（ステップＳ４０４〜Ｓ４１６）。
これにより、図１８に示す、測定開始後の３つめの矢印の測定処理が実行される。
【０１６９】
換算部２３ｄは、図１９に示すように、３回目の測定処理において、換算して得た応力値と、測定時の温度と、第３のカウント回数と、タイムスタンプとを測定結果として、データ記憶部２６の測定結果レジスタ３に記憶する。
測定情報生成部２３ｅは、測定処理が終了すると、測定結果レジスタ１〜３の全てに測定結果が記憶されているか否かを判定する。ここでは、測定結果レジスタ１〜３の全てに測定結果が記憶されているので（ステップＳ４２０の「Ｙｅｓ」の分岐）、測定結果レジスタ１〜３に記憶された３つの検出値の移動平均値を算出する（ステップＳ４２２）。
ここで、３回の測定の移動平均を算出するとした場合に、移動平均値をＳＭＡとし、移動平均値を算出時の測定結果レジスタ１〜３の各応力値をＰ１〜Ｐ３とすると、下式（３）から移動平均値ＳＭＡを算出することができる。
ＳＭＡ＝（Ｐ１＋Ｐ２＋Ｐ３）／３                                  ・・・（３）
【０１７０】
測定情報生成部２３ｅは、最初の移動平均値が算出されると、次に、測定結果レジスタ１〜３の測定結果にそれぞれ対応する第３のカウント回数の平均値を算出する。そして、移動平均値、第３のカウント回数の平均値、最新の測定結果に対応する温度及びタイムスタンプに、タグＩＤ及びカウンター２５ｂの桁数の情報などを加えてなる測定情報を生成する（ステップＳ４２４）。そして、生成した測定情報を、データ記憶部２６の測定情報レジスタ１に記憶する（ステップＳ４２６）。
測定情報が記憶されると、引き続き、環境カウント処理から測定処理を実行する（ステップＳ４０４〜Ｓ４１６）。
これにより、図１８に示す、測定開始後の４つめの矢印の測定処理が実行される。
【０１７１】
換算部２３ｄは、図１９に示すように、４回目の測定処理において、換算して得た応力値と、測定時の温度と、第３のカウント回数と、タイムスタンプとを測定結果として、データ記憶部２６の測定結果レジスタ１に１回目の測定結果に上書きして記憶する。
つまり、図１９に示すバッファリングの例では、新たな測定結果を得るごとに、古い測定結果から順に上書きして記憶している（リングバッファ）。
そして、測定情報生成部２３ｅは、新たな測定結果を得ると（ステップＳ４２０の「Ｙｅｓ」の分岐）、新たな移動平均値ＳＭＡを、上式（３）に従って算出する。
【０１７２】
具体的に、図１９の例では、新たな測定結果を最も古い測定結果に上書きして記憶するようにしたので、上書きが行われるごとに、測定結果レジスタ１〜３の応力値の平均値を算出するだけで、移動平均値を求めることができる。
なお、１つ前に算出した移動平均値ＳＭＡに対して、最新の応力値をレジスタの個数で割った値を加算し、最古の応力値をレジスタの個数で割った値を減算することでも新たな移動平均値を求めることができる。
【０１７３】
測定情報生成部２３ｅは、新たな移動平均値が算出されると、次に、現在の測定結果レジスタ１〜３の測定結果にそれぞれ対応する第３のカウント回数の平均値を算出する。そして、移動平均値、第３のカウント回数の平均値、最新の測定結果に対応する温度及びタイムスタンプに、タグＩＤ及びカウンター２５ｂの桁数の情報などを加えてなる測定情報を生成する（ステップＳ４２４）。そして、生成した測定情報を、データ記憶部２６の測定情報レジスタ２に記憶する（ステップＳ４２６）。
【０１７４】
このように測定処理を繰り返し行い、５回目の測定処理が終了すると、図１９に示すように、測定結果は、測定結果レジスタ２に記憶される。そして、測定情報生成部２３ｅにおいて測定情報が生成されると、測定情報は、測定情報レジスタ３に記憶される。これにより、測定情報レジスタ１〜３の全てに測定情報が記憶される。ここでは、図１９に示すように、測定情報レジスタ１〜３についても、リングバッファによって、最古のデータを最新のデータで上書きする。
なお、測定情報レジスタの全てに測定情報が記憶されたか否かを判定し、記憶されたと判定した時点で、連続測定処理を終了させるように構成してもよい。
【０１７５】
一方、連続測定の場合に、無線タグ２０に測定情報が複数記憶されているので、本実施の形態においては、利用者は、任意の測定情報を送信するように指定した送信指示を入力することができる。そして、送信指示が入力されると（ステップＳ１２０の「Ｙｅｓ」の分岐）、指示情報送信部１２ａは、送信指示情報をユニキャストで第１のタグ２０＿１〜第ｎのタグ２０＿ｎに対して順番に送信する（ステップＳ１２２）。
【０１７６】
具体的に、無線タグ２０から測定情報を受信するごとに次の無線タグ２０に送信指示情報を送信する。
これにより、図１８に示すように、リーダ・ライタ装置１０から送信指示情報がユニキャストで第１のタグ２０＿１〜第ｎのタグ２０＿ｎに順番に送信される。なお、図１８の例では、３回目の測定が終了した時点で送信指示を送信している。従って、測定情報レジスタ１に記憶された測定情報を指定した送信指示を送信することとなる。
【０１７７】
これにより、図１８に示すように、無線タグ２０から、指定した測定情報を含む測定データ返信パケットがユニキャストでリーダ・ライタ装置１０に送信される。
なお、特定の無線タグ２０からだけ測定情報を取得したい場合は、送信指示の入力時に、所望の無線タグ２０のタグＩＤを指定することで、指定された無線タグ２０だけに対して送信指示情報がユニキャストで送信される。
【０１７８】
以上、本実施の形態の測定システム１によれば、無線タグ２０の検出素子接続部２５ｄに任意の検出素子１００を接続して、その無線タグ２０に対して、リーダ・ライタ装置１０によって初期化指示情報を送信することで、検出素子１００の属性を特定することができる。
更に、測定対象物に対して、その物理特性を測定可能に、検出素子１００の接続された無線タグ２０を配設し、リーダ・ライタ装置１０によって測定指示を送信することで、測定対象物の物理特性を測定することができる。また、測定処理においては、検出素子１００を発振用素子とした第２の発振回路２５ａの発振回数として物理特性を検出することができる。一方、環境情報測定部２４によって、測定環境の状態を示す環境情報を測定することができる。そして、物理特性の発振回数（第３のカウント値）を、特定した属性及び測定した環境情報に対応する換算情報で換算することで物理特性を示す検出値を算出することができる。換算情報は、属性及び環境情報に応じて第３のカウント値を適切な補正が施された検出値へと変換する情報となる。
【０１７９】
以上のことにより、利用者は、検出素子１００の属性を意識することなく無線タグ２０に接続することで、検出素子１００の属性や環境情報に応じた適切な測定処理を実行させることができる。
また、測定処理において、無線タグ２０のカウンター２５ｂに桁溢れが生じた場合に、リーダ・ライタ装置１０で、そのことを検出し、桁溢れが生じないように、物理特性測定期間を減少する補正を指示する第１の修正指示情報を無線タグ２０に送信することができる。そして、無線タグ２０は、リーダ・ライタ装置１０から受信した第１の修正指示情報に応じて、設定されている物理特性測定期間を、指定された期間だけ減少する修正を行うことができる。これによって、無線タグ２０の回路の変更等を行うことなく桁溢れに対応させることができる。
【０１８０】
また、リーダ・ライタ装置１０において、測定情報に含まれる、カウンター２５ｂの桁数に対して、第３のカウンター値が小さい値の場合に、桁数に余裕があると判断して、物理特性測定期間を増加する補正を指示する第２の修正指示情報を無線タグ２０に送信することができる。そして、無線タグ２０は、リーダ・ライタ装置１０から受信した第２の修正指示情報に応じて、設定されている物理特性測定期間を、指定された期間だけ増加する修正を行うことができる。これにより、カウンター２５ｂの能力を活かした、より精度の高い測定処理を行うことができる。
【０１８１】
上記実施の形態において、リーダ・ライタ装置１０は、第２の無線通信装置に対応し、無線タグ２０は、第１の無線通信装置又は無線通信装置に対応し、無線通信部１３及びコイルアンテナ１４は、第２の無線通信手段に対応する。また、無線通信部２２及びコイルアンテナ２３は、第１の無線通信部に対応し、属性特定部２３ａは、属性特定手段に対応し、環境情報測定部２４は、環境情報測定手段に対応する。また、特定された属性及び測定された環境情報に対応する換算情報は、補正情報及び換算情報の双方に対応し、換算部２３ｄにおける、前記補正情報を含む換算情報を用いて換算処理を行う機能は、検出値補正手段に対応する。また、測定指示部２３ｃ及び換算部２３ｄは、物理特性検出手段に対応し、測定情報生成部２３ｅは、測定情報生成手段に対応し、測定情報生成部２３ｅ及びデータ記憶部２６の測定情報レジスタ及び該レジスタに測定情報を記憶する機能は、第１の測定情報記憶手段又は測定情報記憶手段に対応する。また、測定情報送信部２３ｆは、測定情報送信手段に対応し、第２の発振回路２５ａは、第１の回路及び第２の回路に対応し、測定期間修正部２３ｇは、測定期間修正手段に対応する。また、抵抗切替部２５ｅ及び補正抵抗素子群２５ｆは、抵抗接続手段に対応し、第２のカウント値は、第１の発振回数に対応し、第１のカウント値は、第２の発振回数に対応し、第３のカウント値は、第３の発振回数に対応する。また、データ記憶部２６は、素子値補正情報記憶手段、換算情報記憶部及び測定情報記憶手段に対応し、水晶発振回路２７、カウンター２８及び時刻測定部２９は、時刻測定手段に対応する。また、指示情報送信部１２ａ及び修正指示情報生成部１２ｃは、測定指示情報送信手段、送信指示情報送信手段及び修正指示情報送信手段に対応し、受信データ処理部１２ｂ及びデータ記憶部１５は、第２の測定情報記憶手段に対応する。
【０１８２】
また、上記実施の形態において、ステップＳ３００〜Ｓ３２２は、属性特定ステップに対応し、ステップＳ４０４〜Ｓ４０８は、環境情報測定ステップに対応し、ステップＳ４１０〜Ｓ４１８は、物理特性検出ステップに対応し、ステップＳ４１６は、検出値補正ステップに対応する。また、ステップＳ４２０〜Ｓ４２４は、測定情報生成ステップに対応し、ステップＳ４２６は、測定情報記憶ステップに対応し、ステップＳ５００〜Ｓ５０８は、測定情報送信ステップに対応する。
【０１８３】
なお、上記実施の形態においては、リーダ・ライタ装置１０からの初期化指示情報を送信することで、各無線タグ２０に初期化処理を実行させる構成としたが、この構成に限らない。例えば、各無線タグ２０において、検出素子１００の接続を検出して、自動で初期化処理を実行する構成としてもよい。
また、上記実施の形態においては、利用者が操作部１１を操作することで、リーダ・ライタ装置１０から各指示情報を無線タグ２０に送信して、各処理を実行させる構成としたが、この構成に限らない。例えば、物理特性測定期間の設定指示や、修正指示などの利用者の判断が必要な指示情報以外は、自動で送信する構成としてもよい。具体的に、リーダ・ライタ装置１０を、全ての無線タグ２０と通信が可能な位置に設置しておき、測定指示情報と送信指示情報とを、予め設定したスケジュールで送信する構成などとしてもよい。
【０１８４】
また、上記実施の形態においては、第２の発振回路２５ａに接続する素子を接続切替部２５ｇによって、基準素子と検出素子１００とに切り替える構成としたが、この構成に限らず、各素子に対応する発振回路を備える構成としてもよい。
また、上記実施の形態においては、物理特性測定期間を任意の期間に設定する、又は物理特性測定期間を修正することができる構成としたが、物理特性測定期間だけに限らず、環境測定期間、属性測定期間なども設定及び修正できる構成としてもよい。
【０１８５】
また、上記実施の形態は、本発明の好適な具体例であり、技術的に好ましい種々の限定が付されているが、本発明の範囲は、上記の説明において特に本発明を限定する旨の記載がない限り、これらの形態に限られるものではない。また、上記の説明で用いる図面は、図示の便宜上、部材ないし部分の縦横の縮尺は実際のものとは異なる模式図である。
また、本発明は上記実施の形態に限定されるものではなく、本発明の目的を達成できる範囲での変形、改良等は本発明に含まれるものである。
【符号の説明】
【０１８６】
１…測定システム、１０…リーダ・ライタ装置、１１…操作部、１２，２３…データ制御部、１２ａ…指示情報送信部、１２ｂ…受信データ処理部、１２ｃ…修正指示情報生成部、１３，２２…無線通信部、１４，２３…コイルアンテナ、１５，２６…データ記憶部、１６…表示部、２３ａ…属性特定部、２３ｂ…測定期間設定部、２３ｃ…測定指示部、２３ｄ…換算部、２３ｅ…測定情報生成部、２３ｆ…測定情報送信部、２３ｇ…測定期間修正部、２４…環境情報測定部、２５…測定部、２５ａ…第２の発振回路、２５ｃ…基準素子、２５ｄ…検出素子接続部、２５ｅ…抵抗切替部、２５ｆ…補正抵抗素子群、２５ｇ…接続切替部、２７…水晶発振回路、２８，２４ｃ，２５ｂ…カウンター、２９…時刻測定部、４０…切替信号出力部、４１…カウンター制御信号出力部、４２…カウント値取得部、４３…比率算出部、４４…素子値算出部、４５…素子値補正部、４６…属性選択部
【図１】
2011034376.tif 000003
【図２】
2011034376.tif 000004
【図３】
2011034376.tif 000005
【図４】
2011034376.tif 000006
【図５】
2011034376.tif 000007
【図６】
2011034376.tif 000008
【図７】
2011034376.tif 000009
【図８】
2011034376.tif 000010
【図９】
2011034376.tif 000011
【図１０】
2011034376.tif 000012
【図１１】
2011034376.tif 000013
【図１２】
2011034376.tif 000014
【図１３】
2011034376.tif 000015
【図１４】
2011034376.tif 000016
【図１５】
2011034376.tif 000017
【図１６】
2011034376.tif 000018
【図１７】
2011034376.tif 000019
【図１８】
2011034376.tif 000020
【図１９】
2011034376.tif 000021